(57)【要約】クーポン管理サーバ３００は、複数台のエレベータ６０の中から、行先階の登録操作を行った利用者に割り当てられたエレベータを示す割当号機情報を、当該利用者の所持する情報通信端末５００に送信する。クーポン管理サーバ３００は、複数のクーポンデータを記憶する記憶部３０２と、制御部３０１と、を備える。制御部３０１には、割当号機情報と、利用者の出発階を示す出発階情報と行先階を示す行先階情報とのうちの少なくとも一方を含む階床情報と、が入力される。制御部３０１は、入力された階床情報に基づいて記憶部３０２から少なくとも１つのクーポンデータを読み出し、入力された割当号機情報と読み出したクーポンデータとを情報通信端末５００に送信する。
2017150395.tif 000002
【特許請求の範囲】
【請求項１】
複数台のエレベータの中から、行先階の登録操作を行った利用者に割り当てられたエレベータを示す割当号機情報を、当該利用者の所持する情報通信端末に送信する情報提供装置であって、
前記利用者に提供する複数の提供情報を記憶する記憶部と、
制御部と、を備え、
前記制御部には、
前記割当号機情報と、
前記利用者の出発階を示す出発階情報と行先階を示す行先階情報とのうちの少なくとも一方を含む階床情報と、が入力され、
前記制御部は、
入力された前記階床情報に基づいて前記記憶部から少なくとも１つの提供情報を読み出し、
入力された前記割当号機情報と読み出した提供情報とを前記情報通信端末に送信する、
情報提供装置。
【請求項２】
前記制御部には、さらに、行先階の登録操作を行った利用者の属するテナントを示すテナント情報が入力され、
前記制御部は、
入力された前記階床情報と前記テナント情報とに基づいて、前記記憶部から少なくとも１つの提供情報を読み出し、
入力された前記割当号機情報と読み出した提供情報とを前記情報通信端末に送信する、
請求項１に記載の情報提供装置。
【請求項３】
前記記憶部は、さらに、各提供情報を、送信すべき日付と、時刻と、曜日とのうちの少なくとも１つを含む日時に関する情報に対応付けて記憶しており、
前記制御部は、
入力された階床情報と前記日時に関する情報とに基づいて、前記記憶部から少なくとも１つの提供情報を読み出し、
入力された前記割当号機情報と読み出した提供情報とを前記情報通信端末に送信する、
請求項１に記載の情報提供装置。
【請求項４】
前記提供情報は、クーポンデータである、
請求項１から請求項３のいずれか１項に記載の情報提供装置。
【請求項５】
請求項１から請求項４のいずれか１項に記載の情報提供装置と、
複数台のエレベータの運行を制御するエレベータの群管理制御装置と、を備え、
前記群管理制御装置は、利用者の行先階を示す行先階情報と出発階を示す出発階情報とを入力し、入力した行先階情報及び出発階情報に基づいて、複数台のエレベータのうちのいずれかのエレベータに前記利用者を割り当てて、割り当てたエレベータを示す情報を前記情報提供装置に出力する、
エレベータの群管理システム。
【請求項６】
前記利用者の行先階を示す行先階情報をエレベータ乗場またはその近傍で取得し、前記群管理制御装置に出力する行先階情報取得装置をさらに備える、
請求項５に記載のエレベータの群管理システム。
【請求項７】
前記行先階情報取得装置は、
利用者情報に対応付けて行先階情報を記憶する行先階記憶部と、
利用者の所持する情報通信端末の識別媒体から利用者情報を取得する情報取得部と、
取得制御部と、を備え、
前記取得制御部は、
前記情報取得部で取得された利用者情報に対応する行先階情報を前記行先階記憶部から読み出し、
読み出した行先階情報を前記群管理制御装置に出力する、
請求項６に記載のエレベータの群管理システム。
【請求項８】
複数台のエレベータと、
請求項５から請求項７のいずれか１項に記載のエレベータの群管理システムと、を備える、
エレベータシステム。
【発明の詳細な説明】
【技術分野】
【０００１】
本発明は、情報提供装置、エレベータの群管理システム、及びエレベータシステムに関する。
【背景技術】
【０００２】
特許文献１は、セキュリティゲート（フラッパーゲート）のリーダ（命令装置）に、専用の呼び登録アプリケーションを導入したスマートフォン等の情報通信端末をかざすことにより利用者の行先階を登録し、利用者に対して割り当てたエレベータを示す情報を情報通信端末に送信して表示させるエレベータシステムを開示している。
【先行技術文献】
【特許文献】
【０００３】
【特許文献１】特開２０１４−１５６３５６号公報
【発明の概要】
【発明が解決しようとする課題】
【０００４】
本発明は、エレベータの利用者に応じた情報を提供可能な情報提供装置、エレベータの群管理システム、及びエレベータシステムを提供する。
【課題を解決するための手段】
【０００５】
本発明の第１の態様に係る情報提供装置は、複数台のエレベータの中から、行先階の登録操作を行った利用者に割り当てられたエレベータを示す割当号機情報を、当該利用者の所持する情報通信端末に送信する。
情報提供装置は、
利用者に提供する複数の提供情報を記憶する記憶部と、
制御部と、を備える。
制御部には、
割当号機情報と、
利用者の出発階を示す出発階情報と行先階を示す行先階情報とのうちの少なくとも一方を含む階床情報と、が入力される。
制御部は、
入力された階床情報に基づいて記憶部から少なくとも１つの提供情報を読み出し、
入力された割当号機情報と読み出した提供情報とを情報通信端末に送信する。【０００６】
本発明の第２の態様に係るエレベータの群管理システムは、
本発明の第１の態様に係る情報提供装置と、
複数台のエレベータの運行を制御するエレベータの群管理制御装置と、を備える。
群管理制御装置は、利用者の行先階を示す行先階情報と出発階を示す出発階情報とを入力し、入力した行先階情報及び出発階情報に基づいて、複数台のエレベータのうちのいずれかのエレベータに利用者を割り当てて、割り当てたエレベータを示す情報を情報提供装置に出力する。【０００７】
本発明の第３の態様に係るエレベータシステムは、
複数台のエレベータと、
本発明の第２の態様に係るエレベータの群管理システムと、を備える。
【発明の効果】
【０００８】
本発明によれば、エレベータの利用時に、利用者の所持する情報通信端末に、当該利用者を割り当てたエレベータを示す情報と、当該利用者の行先階や出発階に応じた提供情報を送信することができる。
【図面の簡単な説明】
【０００９】
【図１Ａ】実施形態１におけるエレベータシステムが適用されるビルの特定階における機器配置を示す概略平面図である。
【図１Ｂ】実施形態１におけるエレベータシステムが適用されるビルの特定階以外の階における機器配置を示す概略平面図である。
【図２】実施形態１におけるエレベータの群管理システムの構成を示すブロック図である。
【図３】実施形態１における群管理制御装置の電気的構成を示すブロック図である。
【図４】実施形態１における行先階登録装置の電気的構成を示すブロック図である。
【図５】実施形態１における行先階登録装置の表示部の表示例を示す図である。
【図６】実施形態１におけるエレベータ制御装置の電気的構成を示すブロック図である。
【図７】実施形態１におけるセキュリティゲートの外観を示す斜視図である。
【図８】実施形態１におけるセキュリティゲートの電気的構成を示すブロック図である。
【図９】実施形態１におけるゲート表示器の電気的構成を示すブロック図である。
【図１０】実施形態１におけるゲート表示器の表示例を示す図である。
【図１１】実施形態１におけるセキュリティサーバの電気的構成を示すブロック図である。
【図１２】実施形態１におけるセキュリティサーバの記憶部に格納されている利用者ＤＢの構成を示す図である。
【図１３】実施形態１におけるクーポン管理サーバの電気的構成を示すブロック図である。
【図１４】実施形態１におけるクーポン管理サーバの記憶部に格納されているクーポン管理ＤＢの構成を示す図である。
【図１５】実施形態１におけるエレベータシステムが適用されるビルの各階床の利用例を説明する図である。
【図１６】実施形態１におけるクーポン登録装置の表示部の表示例を示す図である。
【図１７】実施形態１におけるクーポン登録装置での登録操作の一例を示すフローチャートである。
【図１８】実施形態１における情報通信端末の電気的構成を示すブロック図である。
【図１９】実施形態１における情報通信端末の表示部の表示例を示す図である。
【図２０】実施形態１におけるセキュリティサーバの動作を示すフローチャートである。
【図２１】実施形態１における行先階登録装置の動作を示すフローチャートである。
【図２２】実施形態１における群管理制御装置の動作を示すフローチャートである。
【図２３】実施形態１におけるクーポン管理サーバの動作を示すフローチャートである。
【図２４】他の実施形態におけるゲート表示器の表示例を示す図である。
【発明を実施するための形態】
【００１０】
本発明の実施形態について図面を参照して説明する。
【００１１】
（実施形態１）
１．構成
１−１．エレベータシステムの概要
本実施形態におけるエレベータシステムの概要について説明する。図１Ａは、実施形態１におけるエレベータシステムが適用されるビル（建物）の特定階における機器配置を示す概略平面図である。図１Ｂは、実施形態１におけるエレベータシステムが適用されるビルの特定階以外の階における機器配置を示す概略平面図である。ここで、特定階とは例えば当該ビルの外部につながるロビー階である。ビルに入場の際、ビルの利用者は特定階を経由して他の階に移動することとなる。
【００１２】
本実施形態に係るエレベータシステムは、複数台のエレベータ（以下適宜「号機」という）６０Ａ〜６０Ｆと、群管理システムとを含む。エレベータの群管理システムは、エレベータ（Ａ号機〜Ｆ号機。以下適宜「号機」という）６０Ａ〜６０Ｆの走行および運行を統合的に制御する。本実施形態では、一例としてＡ号機からＦ号機の６台のエレベータ６０Ａ〜６０Ｆが設けられている。各エレベータ６０Ａ〜６０Ｆの乗車用開口がエレベータホール（エレベータ乗場）側に設けられており、利用者はエレベータホールからエレベータ６０Ａ〜６０Ｆに乗車する。なお、複数台のエレベータ６０Ａ〜６０Ｆは互いに同一の構成を有する。そのため、構成等の説明において区別する必要がない場合、適宜、各エレベータを「エレベータ６０」という。
【００１３】
本実施形態では、ビルのロビー階等の特定階において、複数台のセキュリティゲート２０Ａ〜２０Ｃが、エントランス（エントランスホール）からエレベータホールに至る経路上に配置されている。なお、複数台のセキュリティゲート２０Ａ〜２０Ｃは互いに同一の構成を有する。そのため、構成等の説明において区別する必要がない場合、適宜、各セキュリティゲートを「セキュリティゲート２０」という。利用者は、エントランス側からいずれかのセキュリティゲート２０を通過してエレベータホールに進入する。
【００１４】
ビル（建物）において、セキュリティゲート２０Ａ〜２０Ｃよりもエレベータホール側の領域を、以下適宜「特定領域」という場合がある。特定領域は、ビル（建物）において、エントランス側からセキュリティゲート２０Ａ〜２０Ｃを通過しないと入れない領域である。そのため、特定領域には、エレベータホールだけでなく、各エレベータ６０のかご内のスペースや、エレベータ６０を利用して移動可能な各階床のスペース等を含んでもよい。
【００１５】
また、特定階のエレベータホール（エレベータ乗場）の近傍には、行先階登録装置３０Ａ及び通信装置２００Ａが配置されている。
【００１６】
図１Ｂに示すように、特定階以外の各階のエレベータホールの近傍には、行先階登録装置３０Ｂ（〜３０Ｚ）及び通信装置２００Ｂ（〜２００Ｚ）が配置されている。複数台の行先階登録装置３０Ａ〜３０Ｚは互いに同一の構成を有する。そのため、構成等の説明において区別する必要がない場合、適宜、各行先階登録装置を「行先階登録装置３０」という。また、複数台の通信装置２００Ｂ〜２００Ｚは互いに同一の構成を有する。そのため、構成等の説明において区別する必要がない場合、適宜、各行先階登録装置を「通信装置２００」という。
【００１７】
本実施形態におけるエレベータの群管理システムでは、利用者がエレベータ６０のかごに乗車する前にセキュリティゲート２０や行先階登録装置３０を利用して行先階を予め登録する行先階登録方式が採用されている。そして、群管理システムは、このようにして予め登録された行先階についての呼び（行先階呼び）を、複数台のエレベータ６０のいずれかの号機に割り当てて、割り当てた号機を示す情報を利用者に報知し、割り当てた号機に利用者を乗車させるように構成されている。
【００１８】
また、本実施形態におけるエレベータの群管理システムでは、行先階の登録を、ビル内で勤務している利用者が所持しているビル入館認証用のＩＤカードや情報通信端末５００−１〜５００―ｎ（以下適宜、区別せず「情報通信端末５００」という）を利用して行うことが可能に構成されている。具体的な制御については、後述する。
【００１９】
なお、特定階の行先階登録装置３０Ａは、エレベータホール内に進入した利用者が、指定されたエレベータ６０に乗り遅れたとき、あるいはＩＤカードまたは情報通信端末５００に登録されている利用者ＩＤに対応付けられていないフロアに移動するときなどに、任意の行先階を登録可能とするために設けられている。
【００２０】
１−２．エレベータの群管理システムの構成
１−２−１．概要
本実施形態におけるエレベータの群管理システムの構成を説明する。図２は、実施形態１におけるエレベータの群管理システムの構成を示すブロック図である。本実施形態におけるエレベータの群管理システムは、群管理制御装置１０と、複数台の行先階登録装置３０Ａ〜３０Ｚと、複数台のエレベータ制御装置４０Ａ〜４０Ｆと、複数台のゲート表示器７０と、複数台の通信装置２００Ａ〜２００Ｚと、クーポン管理サーバ３００とを有する。ゲート表示器７０は、セキュリティゲート２０に設けられている。クーポン管理サーバ３００には、インターネット等を介して、ビルに入居している店舗に配置されているクーポン登録装置４００−１〜４００−ｍ（以下適宜、区別せず「クーポン登録装置４００」という）が接続可能である。なお、本実施形態でのクーポンは、後に詳述するように、電子的に送信され、情報通信端末等の電子機器の表示部等に電子的に表示される電子クーポンである。以下では便宜上適宜「クーポン」という。
【００２１】
エレベータの群管理システムは、セキュリティサーバ１００或いは行先階登録装置３０との間で通信を行いながら、各号機に対する新規の行先階呼びの割当制御を行う。各装置間は、情報伝送可能なネットワークＮＷを介して接続されている。ネットワークＮＷは、例えばＥｔｈｅｒｎｅｔ（登録商標）等のＬＡＮ（Ｌｏｃａｌ  Ａｒｅａ  Ｎｅｔｗｏｒｋ）により構成され、各装置間での各種の情報の送受信は、ＴＣＰ／ＩＰ等の各種のプロトコルにしたがって行われる。ネットワークＮＷ上に接続されている前述の各装置は、装置間において、各装置が有する入出力インタフェースにより、ＴＣＰ／ＩＰ等の各種のプロトコルにしたがった通信による信号伝送（情報伝送）が可能である。なお、群管理システムを構成する各装置間は、他の信号形式のネットワークや、専用の信号網を介して接続されてもよい。
【００２２】
各エレベータ（各号機）６０Ａ〜６０Ｆは、かご、巻上機（モータ）、釣合おもり等を有する。
【００２３】
１−２−２．群管理制御装置
群管理制御装置１０は、セキュリティゲート２０のリーダ２５または行先階登録装置のリーダ３６においてＩＤカードまたは情報通信端末５００から読み取られた利用者ＩＤ（利用者情報）に対応する行先階、または行先階登録装置３０において入力された行先階を、複数台のエレベータ６０Ａ〜６０Ｆのうちのいずれかのエレベータ（号機）に割り当てる制御を行う。
【００２４】
また、本実施形態の群管理制御装置１０は、割り当てた号機を示す割当号機情報と、クーポン発行依頼情報（出発階情報、行先階情報、端末情報、テナント情報）をクーポン管理サーバ３００に送信する。後に詳述するが、本実施形態では、情報通信端末５００を利用して行先階の登録操作を行った利用者の情報通信端末５００に、クーポン管理サーバ３００から、利用者の行先階や出発等に応じた商業施設のクーポンを送信するように構成されており、群管理制御装置１０は、そのためのクーポン発行依頼情報（出発階情報、行先階情報、端末情報、テナント情報）をクーポン管理サーバ３００に送信する。
【００２５】
図３は、実施形態１における群管理制御装置１０の電気的構成を示すブロック図である。
【００２６】
群管理制御装置１０は、コンピュータを利用して構成され、制御部１１と、記憶部１２と、入出力インタフェース１３とを備える。
【００２７】
記憶部１２は、例えばＲＡＭ、ＲＯＭ、ＨＤＤ、ＳＳＤ等を利用して構成され、プログラム、及び種々のデータを格納している。プログラムは、本実施形態の群管理制御装置１０の各種機能を実現するためのプログラムを含む。
【００２８】
制御部１１は、例えばＣＰＵ、ＭＰＵ等を利用して構成される。制御部１１は、記憶部１２から読み出した上記プログラムに基づいて種々のデータ等を利用して演算処理を行うことにより、群管理制御装置１０における後述する各種の機能を実現する。
【００２９】
入出力インタフェース１３は、例えばＬＡＮアダプタ等を利用して構成される。入出力インタフェース１３は、群管理制御装置１０と、セキュリティサーバ１００、セキュリティゲート２０のゲート表示器７０、行先階登録装置３０（３０Ａ〜３０Ｚ）、エレベータ制御装置４０（４０Ａ〜４０Ｆ）、及びクーポン管理サーバ３００との間で各種信号を送受信するためのインタフェースである。入出力インタフェース１３は、制御部１１から出力される信号を所定の形式の信号に変換してセキュリティサーバ１００、セキュリティゲート２０のゲート表示器７０、行先階登録装置３０、エレベータ制御装置４０、及びクーポン管理サーバ３００に出力する。また、入出力インタフェース１３は、セキュリティサーバ１００、セキュリティゲート２０のゲート表示器７０、行先階登録装置３０、エレベータ制御装置４０、及びクーポン管理サーバ３００から入力された信号を所定の形式の信号に変換して制御部１１に出力する。
【００３０】
１−２−３．行先階登録装置
図４は、実施形態１における行先階登録装置３０の電気的構成を示すブロック図である。行先階登録装置３０は、利用者が行先階の登録を行うための装置である。行先階登録装置３０は、制御部３１と、記憶部３２と、入出力インタフェース３３と、表示部３４と、操作部３５と、リーダ３６とを備える。
【００３１】
記憶部３２は、例えばＲＡＭ、ＲＯＭ、ＨＤＤ、ＳＳＤ等を利用して構成され、プログラム、及び種々のデータを格納している。プログラムは、本実施形態の行先階登録装置３０の各種機能を実現するためのプログラムを含む。記憶部３２には、データとして、例えば、行先階登録装置３０の装置識別情報（以下適宜「デバイスＩＤ」という）が格納されている。
【００３２】
制御部３１は、例えばＣＰＵ、ＭＰＵ等を利用して構成される。制御部３１は、記憶部３２から読み出した上記プログラムに基づいて種々のデータ等を利用して演算処理を行うことにより、行先階登録装置３０における後述する各種の機能を実現する。
【００３３】
入出力インタフェース３３は、例えばＬＡＮアダプタ等を利用して構成される。入出力インタフェース３３は、行先階登録装置３０と、群管理制御装置１０及びセキュリティサーバ１００との間で各種信号を送受信するためのインタフェースである。入出力インタフェース３３は、制御部３１から出力された信号を所定の形式の信号に変換して群管理制御装置１０及びセキュリティサーバ１００に出力する。また、入出力インタフェース３３は、群管理制御装置１０から入力された信号を所定の形式の信号に変換して制御部３１に出力する。
【００３４】
リーダ３６は、行先階登録装置３０の前面に配置されている。リーダ３６は、例えば、非接触型のリーダであるＮＦＣ（Ｎｅａｒ  Ｆｉｅｌｄ  Ｃｏｍｍｕｎｉｃａｔｉｏｎ。近距離無線通信）リーダにより構成される。リーダ３６は、例えば、ＮＦＣの諸規格（“Ｆｅｌｉｃａ（登録商標）”、“Ｍｉｆａｒｅ（登録商標）”等）にしたがった通信を実行可能である。リーダ３６は、所定距離以内に接近したＩＤカード等のＩＣカードや、スマートフォン等の情報通信端末のＮＦＣタグ（ＮＦＣモジュール）との間でＮＦＣの諸規格にしたがった無線通信を行い、ＩＣカードや情報通信端末のＮＦＣタグに記録されている情報を読み取ることができる。本実施形態では、ＩＣカードや情報通信端末のＮＦＣタグには例えば利用者の識別情報（前述の「利用者ＩＤ」等）が格納されており、リーダ３６は、利用者ＩＤを読み取ると、読み取った利用者ＩＤを制御部３１に出力する。制御部３１は、利用者ＩＤと当該行先階登録装置３０のデバイスＩＤとを、入出力インタフェース３３を介してセキュリティサーバ１００に出力する。また、リーダ３６は、情報通信端末５００がかざされた場合には、ＮＦＣタグに、情報通信端末５００の記憶部５０２に記憶されている情報受信アプリケーションの起動を要求する起動要求信号を出力する。
【００３５】
操作部３５は、利用者が行先階を入力するためのインタフェースである。操作部３５は、操作部３５の操作内容に対応する信号を制御部３１に出力する。
【００３６】
表示部３４は、制御部３１から出力される表示信号に基づく表示を行う。
【００３７】
本実施形態では、表示部３４及び操作部３５は、例えば液晶ディスプレイパネルや有機ＥＬディスプレイパネルを利用したタッチパネル式表示装置により一体的に構成されている。なお、表示部３４と操作部３５とは、異なる部品を利用して別々に構成されてもよい。
【００３８】
図５は、実施形態１におけるエレベータの群管理システムにおける行先階登録装置３０の表示部３４の表示例を示す図である。本例では、階数を指定するためのテンキーが表示されている。図５では、８階が指定され、Ａ号機が割り当てられたことが示されている。なお、行先階登録装置３０の制御部３１は、操作部３５に対して行先階の入力操作が行われた場合、入力された行先階を表示部３４に表示させ、その後、群管理制御装置１０から当該行先階登録装置３０に対応する割当号機情報を受信すると、割当号機情報を、表示中の行先階に対応付けて図５に示すように表示部３４に表示させる。また、行先階登録装置３０の制御部３１は、リーダ３６に対してＩＤカードまたは情報通信端末５００がかざされたことに対する応答として、群管理制御装置１０から当該行先階登録装置３０に対応する割当号機情報を受信すると、行先階と割当号機とを対応付けて前述の図５に示すように表示部３４に表示させる。
【００３９】
１−２−４．エレベータ制御装置
エレベータ制御装置４０Ａ〜４０Ｆは、群管理制御装置１０からの制御信号にしたがって、対応するエレベータ６０Ａ〜６０Ｆの巻上機（モータ）等の動作を制御することにより、各エレベータ６０Ａ〜６０Ｆのかごの上昇、下降、停止等を制御する。また、エレベータ制御装置４０Ａ〜４０Ｆはそれぞれ、対応するエレベータ６０Ａ〜６０Ｆのかごの位置、走行方向、ドアの開閉状態、荷重等を含むかご状態を検知して、検知したかご状態を示す情報を含むかご状態信号を群管理制御装置１０に出力する。なお、複数台のエレベータ制御装置４０Ａ〜４０Ｆは互いに同一の構成を有する。そのため、構成等の説明において区別する必要がない場合、適宜、各エレベータ制御装置を「エレベータ制御装置４０」という。
【００４０】
図６は、実施形態１におけるエレベータ制御装置４０の電気的構成を示すブロック図である。各エレベータ制御装置４０（エレベータ制御装置４０Ａ〜４０Ｆ）は、制御部４１と、記憶部４２と、入出力インタフェース４３と、を備える。
【００４１】
記憶部４２は、例えばＲＡＭ、ＲＯＭ、ＨＤＤ、ＳＳＤ等を利用して構成され、プログラム、及び種々のデータを格納している。プログラムは、本実施形態のエレベータ制御装置４０の各種機能を実現するためのプログラムを含む。
【００４２】
制御部４１は、例えばＣＰＵ、ＭＰＵ等を利用して構成される。制御部４１は、記憶部４２から読み出した上記プログラムに基づいて種々のデータ等を利用して演算処理を行うことにより、エレベータ制御装置４０における各種の機能を実現する。
【００４３】
入出力インタフェース４３は、例えばＬＡＮアダプタ等を利用して構成される。入出力インタフェース４３は、エレベータ制御装置４０と群管理制御装置１０との間で各種信号を送受信するためのインタフェースである。入出力インタフェース４３は、制御部４１から出力された信号を所定の形式の信号に変換して群管理制御装置１０に出力する。また、入出力インタフェース４３は、群管理制御装置１０から入力された信号を所定の形式の信号に変換して制御部４１に出力する。
【００４４】
１−２−５．セキュリティゲート
セキュリティゲート２０は、特定領域内への利用者の進入を許可または規制するための装置である。セキュリティゲート２０は、正規な利用者ＩＤが登録されたＩＤカードまたは正規な利用者ＩＤが登録された情報通信端末５００（以下において適宜「正規な利用者ＩＤが登録されたＩＤカードまたは情報通信端末５００」という）を所持する利用者についてのみ特定領域への進入を許可する。
【００４５】
図７は、実施形態１におけるセキュリティゲート２０の外観を示す斜視図である。なお、図７は、図１における最も左側のセキュリティゲート２０Ａ（２０）の例を示している。セキュリティゲート２０は、ゲート本体２０ａと、第１センサ２６と、第２センサ２７と、リーダ２５と、ゲート表示器７０と、ゲートフラッパ２８とを備える。
【００４６】
ゲート本体２０ａの外面には、上記の第１センサ２６と、第２センサ２７と、リーダ２５と、ゲート表示器７０とが取り付けられている。ゲート本体２０ａは、後述する制御部２１等を収納する筐体である。ゲート本体２０ａは、それぞれ利用者の進入方向に沿うように、配置されている。ゲート本体２０ａは、隣接するセキュリティゲート２０のゲート本体に対して所定距離離間させて配置され、ゲート本体２０ａの側方には、利用者が通過可能な通路ＰＡが形成されている。
【００４７】
リーダ２５は、ゲート本体２０ａの上面の入口２０ｉ側に配置されており、利用者の所持するＩＤカードやスマートフォン等の情報通信端末からＮＦＣにより利用者情報を取得する。リーダ２５の詳細な構成については後述する。
【００４８】
ゲート表示器７０は、割当号機情報等を表示する。ゲート表示器７０の詳細な構成については後述する。
【００４９】
第１センサ２６は、セキュリティゲート２０の通路ＰＡの入口２０ｉ側における利用者の移動を検知する。第１センサ２６及び第２センサ２７は、利用者の移動を検知すると、検知信号を出力する。
【００５０】
第２センサ２７は、セキュリティゲート２０の通路ＰＡの出口２０ｅ側における利用者の移動を検知する。第１センサ２６及び第２センサ２７は、利用者の移動を検知すると、検知信号を出力する。
【００５１】
ゲートフラッパ２８は、開閉自在の扉である。ゲートフラッパ２８は、開いた状態において、利用者がセキュリティゲート２０を通過することを可能とする。ゲートフラッパ２８は、閉じた状態において、利用者がセキュリティゲート２０を通過することを妨げる。
【００５２】
図８は、実施形態１におけるセキュリティゲート２０の電気的構成を示すブロック図である。セキュリティゲート２０は、上述の構成要素に加えてさらに、制御部２１と、記憶部２２と、入出力インタフェース２３とを備える。
【００５３】
記憶部２２は、例えばＲＡＭ、ＲＯＭ、ＨＤＤ、ＳＳＤ等を利用して構成され、プログラム、及び種々のデータを格納している。プログラムは、本実施形態におけるセキュリティゲート２０の各種機能を実現するためのプログラムを含む。
【００５４】
制御部２１は、例えばＣＰＵ、ＭＰＵ等を利用して構成される。制御部２１は、記憶部２２に格納されたプログラムに基づいて種々のデータ等を利用して演算処理を行うことにより、セキュリティゲート２０における後述する各種の機能を実現する。
【００５５】
制御部２１は、第１センサ２６及び第２センサ２７からの検知信号、及びセキュリティサーバ１００からのゲートＯＰＥＮ信号、ゲートＣＬＯＳＥ信号等に基づいて、ゲートフラッパ２８を開閉する。
【００５６】
入出力インタフェース２３は、例えばＬＡＮアダプタ等を利用して構成される。入出力インタフェース２３は、セキュリティゲート２０とセキュリティサーバ１００との間で各種信号を送受信するためのインタフェースである。入出力インタフェース２３は、制御部２１から出力された信号を所定の形式の信号に変換してセキュリティサーバ１００に出力する。また、入出力インタフェース２３は、セキュリティサーバ１００から入力された信号を所定の形式の信号に変換して制御部２１に出力する。
【００５７】
リーダ２５は、行先階登録装置３０のリーダ３６同様、非接触型のリーダであるＮＦＣリーダにより構成される。リーダ２５は、所定距離以内に接近したＩＤカード等のＩＣカードや、スマートフォン等の情報通信端末のＮＦＣタグ（ＮＦＣモジュール）との間でＮＦＣの諸規格にしたがった無線通信を行い、ＩＣカードのＩＣタグや情報通信端末のＮＦＣタグに記録されている情報を読み取ることができる。また、リーダ２５は、ＩＣカードまたは情報通信端末に格納されている利用者ＩＤをＮＦＣタグから読み取ると、読み取った利用者ＩＤを制御部２１に出力する。制御部２１は、利用者ＩＤとセキュリティサーバ１００のデバイスＩＤとを、入出力インタフェース２３を介してセキュリティサーバ１００に出力する。また、リーダ２５は、情報通信端末５００がかざされた場合には、ＮＦＣタグに、情報通信端末５００の記憶部５０２に記憶されている情報受信アプリケーションの起動を要求する起動要求信号を出力する。
【００５８】
１−２−６．ゲート表示器
ゲート表示器７０は、セキュリティゲート２０に設置され、群管理制御装置１０が割り当てた割当号機を示す情報や、割当に関するその他の情報を利用者へ案内するための表示器である。ゲート表示器７０はセキュリティゲート２０に設置されるが、群管理制御装置１０との間で割当号機情報等の信号の授受を直接行う。
【００５９】
図９は、実施形態１におけるゲート表示器７０の電気的構成を示すブロック図である。ゲート表示器７０は、群管理制御装置１０から受信した情報に基づく表示制御が可能なように、コンピュータを利用して構成されている。ゲート表示器７０は、図９に示すように、制御部７１と、記憶部７２と、入出力インタフェース７３と、表示部７４とを備える。
【００６０】
記憶部７２は、例えばＲＡＭ、ＲＯＭ、ＨＤＤ、ＳＳＤ等を利用して構成され、プログラム、及び種々のデータを格納している。プログラムは、本実施形態のゲート表示器７０の後述する各種機能を実現するためのプログラムを含む。
【００６１】
制御部７１は、例えばＣＰＵ、ＭＰＵ等を利用して構成される。制御部７１は、記憶部７２から読み出した上記プログラムに基づいて種々のデータ等を利用して演算処理を行うことにより、ゲート表示器７０における後述する各種の機能を実現する。
【００６２】
入出力インタフェース７３は、例えばＬＡＮアダプタ等を利用して構成される。入出力インタフェース７３は、ゲート表示器７０と群管理制御装置１０との間で各種信号を送受信するためのインタフェースである。入出力インタフェース７３は、制御部７１から出力された信号を所定の形式の信号に変換して群管理制御装置１０に出力する。また、入出力インタフェース７３は、群管理制御装置１０から入力された信号を所定の形式の信号に変換して制御部７１に出力する。
【００６３】
表示部７４は、例えば液晶ディスプレイパネルや有機ＥＬディスプレイパネルを利用して構成されている。
【００６４】
図１０は、実施形態１におけるゲート表示器７０の表示例を示す図である。図１０に示す例では、ゲート表示器７０は、Ａ号機が割り当てられたことを示す情報を表示している。
【００６５】
１−２−７．セキュリティサーバ
セキュリティサーバ１００は、セキュリティゲート２０のリーダ２５または行先階登録装置３０のリーダ３６で読み取られた利用者ＩＤに基づく認証を行う。セキュリティサーバ１００は、セキュリティゲート２０のリーダ２５で利用者ＩＤが読み取られた場合、認証結果に基づいてゲートＯＰＥＮ信号あるいはゲートＣＬＯＳＥ信号をセキュリティゲート２０の制御部２１に送信する。また、セキュリティサーバ１００は、利用者ＩＤ等に基づいて、エレベータ６０の割当依頼情報を生成し、群管理制御装置１０に出力する。
【００６６】
図１１は、実施形態１におけるセキュリティサーバ１００の電気的構成を示すブロック図である。セキュリティサーバ１００は、コンピュータを利用して構成され、制御部１０１と、記憶部１０２と、入出力インタフェース１０３と、を備える。
【００６７】
記憶部１０２は、例えばＲＡＭ、ＲＯＭ、ＨＤＤ、ＳＳＤ等を利用して構成され、プログラム、及び種々のデータを格納している。プログラムは、本実施形態のセキュリティサーバ１００の後述する各種機能を実現するためのプログラムを含む。記憶部１０２は、データとして、利用者データベース（以下「利用者ＤＢ」という）を格納している。利用者ＤＢの構成については後述する。
【００６８】
また、記憶部１０２は、データとして、セキュリティゲート２０の設置階を示す設置階情報を記憶している。設置階情報は、セキュリティゲート２０を通過した利用者の出発階情報として利用される。なお、セキュリティゲート２０が複数の階に設置されている場合、記憶部１０２に、例えば、セキュリティゲート２０のデバイスＩＤと設置階情報とを対応付けて記録した設置階情報テーブルを格納しておいてもよい。この場合、セキュリティゲート２０からデバイスＩＤを受信したときに、設置階情報テーブルからデバイスＩＤに対応する設置階情報を取得し、取得した設置階情報を出発階情報として利用すればよい。
【００６９】
また、記憶部１０２は、データとして、行先階登録装置３０（３０Ａ〜３０Ｚ）の設置階を示す設置階情報を記憶している。設置階情報は、行先階登録装置３０のリーダ３６で行先階登録を行った利用者の出発階情報として利用される。なお、行先階登録装置３０は複数の階に設置されているため、記憶部１０２に、例えば、行先階登録装置３０（３０Ａ〜３０Ｚ）のデバイスＩＤと設置階情報とを対応付けて記録した設置階情報テーブルを格納しておいてもよい。この場合、行先階登録装置３０（３０Ａ〜３０Ｚ）からデバイスＩＤを受信したときに、設置階情報テーブルからデバイスＩＤに対応する設置階情報を取得し、取得した設置階情報を出発階情報として利用すればよい。
【００７０】
制御部１０１は、例えばＣＰＵ、ＭＰＵ等を利用して構成される。制御部１０１は、記憶部１０２から読み出した上記プログラムに基づいて種々のデータ等を利用して演算処理を行うことにより、セキュリティサーバ１００における後述する各種の機能を実現する。
【００７１】
入出力インタフェース１０３は、例えばＬＡＮアダプタ等を利用して構成される。入出力インタフェース１０３は、セキュリティサーバ１００と、群管理制御装置１０、行先階登録装置３０、及びセキュリティゲート２０との間で各種信号を送受信するためのインタフェースである。入出力インタフェース１０３は、制御部１０１から出力された信号を所定の形式の信号に変換して群管理制御装置１０、行先階登録装置３０、及びセキュリティゲート２０に出力する。また、入出力インタフェース１０３は、群管理制御装置１０、行先階登録装置３０、及びセキュリティゲート２０から入力された信号を所定の形式の信号に変換して制御部１０１に出力する。
【００７２】
図１２は、実施形態１におけるセキュリティサーバ１００の記憶部１０２に格納されている利用者ＤＢの構成を示す図である。利用者ＤＢは、利用者ＩＤに対応付けて、行先階情報と、テナント情報と、情報通信端末５００の端末情報とを記録している。行先階情報及びテナント情報は、例えばビル管理者等により予め設定されている。
【００７３】
利用者ＩＤは、エレベータの利用者のそれぞれに対して一意に設定された、利用者を識別するための情報である。
【００７４】
行先階情報は、利用者が主として利用する行先階を示す情報である。例えば、ビルがオフィスビルである場合には、利用者が属するテナント（企業等）の存在する階床が設定される。
【００７５】
テナント情報は、利用者が属するテナントを示す情報である。
【００７６】
端末情報は、当該情報通信端末５００を識別するための情報である。端末情報は、割当号機情報及び後述するクーポンデータを当該情報通信端末５００に送信するために用いられる。端末情報としては、例えばＩＭＥＩ（International Mobile Equipment Identity）やＩＭＳＩ（International Mobile Subscriber Identity）等が利用可能である。端末情報は、後述する情報受信アプリケーションを利用者が情報通信端末５００に導入（インストール）したときに、情報受信アプリケーションにより情報通信端末５００からセキュリティサーバ１００に送信され、利用者ＤＢに登録される。
【００７７】
図１２に示す例では、利用者ＩＤ“００００１”に対応付けて行先階情報、テナント情報、及び端末情報として“８階”、“Ｒ社オフィス”、及び“Ａｘ”が記録されている。利用者ＩＤ“００００２”に対応付けて行先階情報、テナント情報、及び端末情報として“６階”、“Ｑ社オフィス”、及び“Ａｙ”が記録されている。利用者ＩＤ“００００３”に対応付けて行先階情報、テナント情報、及び端末情報として“５階”、“Ｐ社オフィス”、及び“Ａｂ”が記録されている。それ以外の利用者ＩＤについても、対応する行先階情報等が同様に記録されている。上記の“Ａｘ”、“Ａｙ”、“Ａｂ”は、例えばＩＭＥＩを意味する。
【００７８】
１−２−８．クーポン管理サーバ
クーポン管理サーバ３００は、群管理制御装置１０から受信した割当号機情報及びクーポン発行依頼情報（出発階情報、行先階情報、端末情報、テナント情報）等に基づいて、送信すべきクーポンデータを選択し、割当号機情報と選択したクーポンデータを、通信装置２００を介して、端末情報に対応する情報通信端末５００に出力する。
【００７９】
図１３は、実施形態１におけるクーポン管理サーバ３００の電気的構成を示すブロック図である。クーポン管理サーバ３００は、コンピュータを利用して構成され、制御部３０１と、記憶部３０２と、入出力インタフェース３０３と、を備える。
【００８０】
記憶部３０２は、例えばＲＡＭ、ＲＯＭ、ＨＤＤ、ＳＳＤ等を利用して構成され、プログラム、及び種々のデータを格納している。プログラムは、本実施形態のクーポン管理サーバ３００の後述する各種機能を実現するためのプログラムを含む。記憶部３０２は、データとして、例えば、クーポン管理データベース（以下「クーポン管理ＤＢ」という）と、クーポン登録用のＷｅｂページデータを格納している。クーポン管理ＤＢ及びクーポン登録用Ｗｅｂページデータの構成については後述する。
【００８１】
制御部３０１は、例えばＣＰＵ、ＭＰＵ等を利用して構成される。制御部３０１は、記憶部３０２から読み出した上記プログラムに基づいて種々のデータ等を利用して演算処理を行うことにより、クーポン管理サーバ３００における後述する各種の機能を実現する。
【００８２】
入出力インタフェース３０３は、例えばＬＡＮアダプタ等を利用して構成される。入出力インタフェース３０３は、クーポン管理サーバ３００と、群管理制御装置１０、クーポン登録装置４００、及び通信装置２００との間で各種信号を送受信するためのインタフェースである。入出力インタフェース３０３は、制御部３０１から出力された信号を所定の形式の信号に変換して群管理制御装置１０、クーポン登録装置４００、及び通信装置２００に出力する。また、入出力インタフェース３０３は、群管理制御装置１０、クーポン登録装置４００、及び通信装置２００から入力された信号を所定の形式の信号に変換して制御部３０１に出力する。
【００８３】
図１４は、実施形態１におけるクーポン管理サーバ３００の記憶部３０２に格納されているクーポン管理ＤＢの構成を示す図である。図１５は、実施形態１におけるエレベータシステムが適用されるビルの各階床の利用例を説明する図である。
【００８４】
クーポン管理ＤＢの構成を説明するにあたり、まず図１５を参照してクーポン管理ＤＢで管理される各種情報の前提となるビルの各階床の利用例を説明する。
【００８５】
このビルでは、１階（ロビー階）及び２階は、店舗が入居する店舗階であり、３階から８階はオフィス階である。例えば、１階（ロビー階）には、店舗Ａ及び店舗Ｂが入居し、２階には店舗Ｃ及び店舗Ｄが入居している。また、３階には店舗Ｃのオフィスが入居し、４階及び５階にはＰ社のオフィスが入居し、６階及び７階にはＱ社のオフィスが入居し、８階にはＲ社のオフィスが入居している。
【００８６】
クーポン管理ＤＢは、店舗名に対応付けて、送信対象テナント情報と、送信開始日情報と、送信終了日情報と、送信曜日情報と、送信開始時刻情報と、送信終了時刻情報と、対象出発階情報と、対象行先階情報と、クーポンデータとを格納している。これらの情報及びクーポンデータは、各店舗に備えられているクーポン登録装置４００を利用して、各店舗の従業員等が登録する。
【００８７】
送信対象テナント情報は、クーポンデータの送信対象テナントを示す情報である。
【００８８】
送信開始日情報は、クーポンデータの送信開始日を示す情報である。
【００８９】
送信終了日情報は、クーポンデータの送信終了日を示す情報である。
【００９０】
送信曜日情報は、クーポンデータの送信曜日を示す情報である。
【００９１】
送信開始時刻情報は、クーポンデータの送信開始時刻を示す情報である。
【００９２】
送信終了時刻情報は、クーポンデータの送信終了時刻を示す情報である。
【００９３】
対象出発階情報は、クーポンデータの送信対象の出発階を示す情報である。
【００９４】
対象行先階情報は、クーポンデータの送信対象の行先階を示す情報である。
【００９５】
クーポンデータは、情報通信端末５００の画面に表示される電子クーポンのデータである。電子クーポンには、例えば、商品の割引内容や優待内容、店舗のリーダで読み取り可能なバーコードなどが表示される。クーポンデータは、クーポンの画像の画像データ（バイナリデータ）であってもよいし、クーポンの所在地のＵＲＬを示すテキストデータやＨＴＭＬ形式のデータ等であってもよい。ＵＲＬを示すデータの場合、アプリによりＵＲＬに自動的にアクセスしクーポンの画像を表示部に表示させるようにしてもよいし、利用者によるＵＲＬを指定したブラウザ操作によりＵＲＬにアクセスし電子クーポンの画像を表示部に表示させるようにしてもよい。
【００９６】
図１４に示す例の１番目のレコードでは、店舗名“Ｃ”に対応付けて、送信対象テナント情報として“Ｐ”、“Ｑ”、“Ｒ”、送信開始日情報として“５／１１”、送信終了日情報として“５／１５”、送信曜日情報として“―”、送信開始時刻情報として“６：００”、送信終了時刻情報として“１０：００”、対象出発階情報として“１”、対象行先階情報として“−“、クーポンデータとして“データ１”が登録されている。ここで、“―”は指定がないこと、つまり全てを対象とすることを意味する。この登録内容の場合、送信対象テナント“Ｐ”、“Ｑ”、“Ｒ”に属するエレベータの利用者が、５月１１日〜５月１５日の６：００〜１０：００の間に対象出発階の１階からエレベータに乗車するときに、店舗Ｃの“データ１”がクーポンデータとして送信される。
【００９７】
また、２番目のレコードでは、店舗名“Ａ”に対応付けて、送信対象テナント情報として“Ｃ”、“Ｐ”、“Ｑ”、“Ｒ”、送信開始日情報として“５／１３”、送信終了日情報として“５／１３”、送信曜日情報として“―”、送信開始時刻情報として“１１：００”、送信終了時刻情報として“１３：００”、対象出発階情報として“―”、対象行先階情報として“１”、クーポンデータとして“データ２”が登録されている。この登録内容の場合、送信対象テナント“Ｃ”、“Ｐ”、“Ｑ”、“Ｒ”に属するエレベータの利用者が、５月１３日の１１：００〜１３：００の間に対象行先階の１階に行くためにエレベータに乗車するときに、店舗Ａの“データ２”がクーポンデータとして送信される。
【００９８】
また、３番目のレコードでは、店舗名“Ａ”に対応付けて、送信対象テナント情報として、“Ｐ”、“Ｑ”、送信開始日情報として“―”、送信終了日情報として“―”、送信曜日情報として“土”、“日”、送信開始時刻情報として“―”、送信終了時刻情報として“―”、対象出発階情報として“―”、対象行先階情報として“―”、クーポンデータとして“データ３”が登録されている。この登録内容では、送信対象テナント “Ｐ”、“Ｑ”に属するエレベータの利用者が、土曜日または日曜日にエレベータに乗車するときに、店舗Ａの“データ３”がクーポンデータとして送信される。
【００９９】
また、４番目のレコードでは、店舗名“Ｂ”に対応付けて、送信対象テナント情報として、“Ｒ”、送信開始日情報として“５／１２”、送信終了日情報として“５／１２”、送信曜日情報として“―”、送信開始時刻情報として“１４：００”、送信終了時刻情報として“１５：００”、対象出発階情報として“８”、対象行先階情報として“１”、クーポンデータとして“データ４”が登録されている。この登録内容では、送信対象テナント“Ｒ”に属するエレベータの利用者が、５月１２日の１４：００〜１５：００の間に対象出発階の８階から対象行先階の１階に行くためにエレベータに乗車するときに、店舗Ｂの“データ４”がクーポンデータとして送信される。
【０１００】
また、５番目のレコードでは、店舗名“Ｄ”に対応付けて、送信対象テナント情報として、“―”、送信開始日情報として“５／１”、送信終了日情報として“―”、送信曜日情報として“―”、送信開始時刻情報として“１８：００”、送信終了時刻情報として“―”、対象出発階情報として“―”、対象行先階情報として“２”、クーポンデータとして“データ５”が登録されている。この登録内容では、５月１日の１８：００以後に、対象行先階の２階に行くためにエレベータに乗車する利用者の全てに対して、店舗Ｄの“データ５”がクーポンデータとして送信される。
【０１０１】
１−２−９．通信装置
図１Ａ、図１Ｂに戻り、通信装置２００（２００Ａ〜２００Ｚ）は、例えば無線ＬＡＮのアクセスポイントであり、各階床のエレベータホールあるいはその近傍に配置され、有線ＬＡＮを介してクーポン管理サーバ３００に接続されている。通信装置２００（２００Ａ〜２００Ｚ）は、クーポン管理サーバ３００と情報通信端末５００との間の無線ＬＡＮを介した通信を可能とする。情報通信端末５００と無線アクセスポイントとの間の接続は、例えばＷｉ―ｆｉ（登録商標）規格に基づく無線接続により行うことができる。
【０１０２】
１−２−１０．クーポン登録装置
クーポン登録装置４００は、ビルに入居している店舗に配置されている。クーポン登録装置４００は、店舗の店員等がクーポン送信条件やクーポンデータを、クーポン管理サーバ３００に登録するための装置である。
【０１０３】
クーポン登録装置４００は、制御部、記憶部、入出力インタフェース、表示部、操作部等を備え、Ｗｅｂブラウザを実装した、インターネットに接続可能な一般的なデスクトップ型コンピュータ、ノートブック型コンピュータ、タブレット型コンピュータ、スマートフォン等で構成可能である。店舗の店員等は、クーポン登録装置４００を利用してクーポン管理サーバ３００が提供するクーポン登録用Ｗｅｂサイト（ページ）にアクセスし、電子クーポンの発行条件及びクーポンデータを登録する。
【０１０４】
図１６は、実施形態１におけるクーポン登録装置の表示部の表示例を示す図である。具体的に、図１６は、クーポン登録用Ｗｅｂサイトにアクセスしたときに表示される画面の一例を示す。図１７は、実施形態１におけるクーポン登録装置４００での登録操作の一例を示すフローチャートである。
【０１０５】
クーポンデータを新規に登録（追加）するとき、店員は、クーポン登録のためのＷｅｂページにアクセスし、所定のＩＤ及びパスワードを入力して、ログイン（Ｌｏｇｉｎ）する（Ｓ１０１）。すると、図１６に示す画面がクーポン登録装置４００の表示部に表示される。
【０１０６】
店員は、クーポン送信条件として、店舗名、送信対象テナント情報、送信開始日情報、送信終了日情報、送信曜日情報、送信開始時刻情報、送信終了時刻情報、対象出発階情報、対象行先階情報の各項目のうち必要な項目を入力し、クーポンデータを登録（添付）する（Ｓ１０２）。図１６に示す例では、店舗名として“Ｃ”、クーポン送信条件の送信対象テナント情報として“Ｐ社”、“Ｑ社”、“Ｒ社”、送信開始日情報として“５／１１”、送信終了日情報として“５／１５”、送信曜日情報として“―”、送信開始時刻情報として“６：００”、送信終了時刻情報として“１０：００”、対象出発階情報として“１Ｆ”、対象行先階情報として“−“が入力され、クーポンデータとして“データ１”が登録されている。なお、図１６に示す例は、図１４のクーポン管理ＤＢの１番目のレコードに対応している。
【０１０７】
クーポン送信条件及びクーポンデータの入力を終えた場合、店員は、確定ボタンをクリックする（Ｓ１０３）。そうすると、クーポン管理サーバ３００は、入力されたクーポン送信条件及びクーポンデータをクーポン管理ＤＢに確定登録する。
【０１０８】
登録を完了すると、クーポン管理サーバ３００は、クーポン登録画面において、例えば「クーポンデータの登録が完了しました。」等の表示を行う。店員は、ログアウト（Ｌｏｇｏｕｔ）することにより登録操作を完了する（Ｓ１０４）。
【０１０９】
登録操作の終了後、登録済のクーポン送信条件やクーポンデータの変更を行いたい場合、店員は、再度上記のＷｅｂサイトにアクセスして、クーポン管理サーバ３００に、登録済クーポンの一覧表示画面を表示させる。利用者は、変更したい登録済クーポンを選択して、上記の図１６に示す画面を表示させる。これにより、クーポン管理サーバ３００は、選択された登録済クーポンのクーポン送信条件及びクーポンデータの変更を受け付ける。
【０１１０】
また、登録済のクーポン送信条件及びクーポンデータを削除したい場合、店員は、再度上記のＷｅｂサイトにアクセスして、例えば登録済クーポンの一覧表示画面を表示させ、消去したい登録済クーポンを選択し、当該操作を確定する。これにより、クーポン管理サーバ３００は、選択された登録済クーポンのクーポン送信条件及びクーポンデータを削除する。
【０１１１】
１−２−１１．情報通信端末
情報通信端末５００は、利用者の所持するスマートフォン等の携帯型コンピュータに専用の情報受信アプリケーションが導入（インストール）されることにより構成されている。図１８は、実施形態１における情報通信端末５００の電気的構成を示すブロック図である。情報通信端末５００は、制御部５０１、記憶部５０２、表示部５０４、操作部５０５、第１無線通信部５０６、第２無線通信部５０７、ＮＦＣタグ５０８を有する。
【０１１２】
記憶部５０２は、例えばＲＡＭ、ＲＯＭ等を利用して構成され、ＯＳ、プログラム、及び種々のデータを格納している。プログラムとして、例えば、スマートフォン等の携帯型コンピュータを、割当号機情報及びクーポンデータを受信する装置としての情報通信端末５００として機能させる情報受信アプリケーションが格納されている。情報受信アプリケーションは、情報通信端末５００が行先階登録装置３０のリーダ３６またはセキュリティゲート２０のリーダ２５から近距離無線通信（ＮＦＣ）により起動信号を受信したときに、起動するように構成されている。なお、情報受信アプリケーションは、常時動作させておいてもよい。
【０１１３】
制御部５０１は、例えばＣＰＵ、ＭＰＵ等を利用して構成される。制御部５０１は、記憶部５０２から読み出した上記プログラムに基づいて種々のデータ等を利用して演算処理を行うことにより、情報通信端末５００における後述する各種の機能を実現する。
【０１１４】
第１無線通信部５０６は、例えばＷ−ＣＤＭＡ、ＧＳＭ等の携帯通信用の諸規格に基づく無線通信を実行する。
【０１１５】
第２無線通信部５０７は、Ｗｉ−ｆｉ（登録商標）等の無線ＬＡＮの諸規格に基づく無線通信を実行する。
【０１１６】
操作部５０５は、利用者が情報通信端末５００を操作するためのインタフェースである。操作部５０５は、操作部５０５の操作内容に対応する信号を制御部５０１に出力する。
【０１１７】
表示部５０４は、制御部５０１から出力される表示信号に基づく表示を行う。
【０１１８】
表示部５０４及び操作部５０５は、例えば液晶ディスプレイパネルや有機ＥＬディスプレイパネルを利用したタッチパネル式表示装置により一体的に構成されている。なお、表示部５０４と操作部５０５とは、異なる部品を利用して別々に構成されてもよい。
【０１１９】
ＮＦＣタグ５０８は、例えば、ＮＦＣ（Ｎｅａｒ  Ｆｉｅｌｄ  Ｃｏｍｍｕｎｉｃａｔｉｏｎ。近距離無線通信）の諸規格（“Ｆｅｌｉｃａ（登録商標）”、“Ｍｉｆａｒｅ（登録商標）”等）にしたがった無線通信を実行可能なＩＣタグであり、制御部及び記憶部等を有するＩＣチップと、アンテナとを含む。ＮＦＣタグ５０８の記憶部には、例えば、セキュリティサーバ１００で認証を行うための識別情報（前述の「利用者ＩＤ」等）が記録されている。ＮＦＣタグ５０８は、セキュリティゲート２０のリーダ２５または行先階登録装置３０のリーダ３６との間で無線通信フローが確立した後、利用者ＩＤの送信要求信号を受信すると、利用者ＩＤを送信する。また、リーダ２５または３６から情報受信アプリケーションの起動要求信号を受信すると、ＮＦＣタグ５０８の制御部は、情報通信端末５００の制御部５０１に、情報受信アプリケーションの起動要求信号を送信する。情報通信端末５００の制御部５０１は、記憶部５０２から、受信した起動要求信号が示す情報受信アプリケーションを読み出して起動させる。
【０１２０】
情報受信アプリケーションが起動すると、情報通信端末５００は、Ｗｉ−Ｆｉ無線通信機能をＯＮ状態とし、通信装置２００を介してクーポン管理サーバ３００に端末情報を送信する。送信に対する応答として、クーポン管理サーバ３００から、端末情報に対応する割当号機情報及びクーポンデータを受信すると、情報通信端末５００の制御部５０１は、受信した割当号機情報及びクーポンデータに基づき、表示部５０４に、割当号機名とクーポンとを表示させる。
【０１２１】
図１９は、実施形態１における情報通信端末５００の表示部５０４の表示例を示す図である。図１９の例では、８階に対してＡ号機が割り当てられたことが表示されている。また、レストランＡＢＣの１０％割引券（電子クーポン）が表示されている。表示部の５０４の表示画面の右端には、表示領域を上下にスクロールするためのタブＴＢが配置されており、複数のクーポンが存在する場合、表示領域を上下にスクロールさせることにより、他のクーポンについても表示できる。
【０１２２】
また、情報受信アプリケーションは、情報通信端末５００において、受信したクーポンデータを記憶部５０２に記憶させる機能を実現する。また、情報受信アプリケーションは、情報通信端末５００において、記憶されているクーポンデータを利用者の所定の操作に基づいて一覧表示させる機能を実現する。利用者がクーポンを利用する場合、一覧表示の中から所望のクーポンを選択して画面に表示させ、あるいは、クーポンデータの受信時に表示される図１９に示す画面を画面メモとして保存しておいて表示させる。また、情報受信アプリケーションは、情報通信端末５００において、クーポンデータを受信するか否かを利用者の所定の操作に基づいて設定可能とする機能を実現する。
【０１２３】
２．動作
２−１．概要
２−１−１．セキュリティゲートのゲートフラッパの開閉制御
セキュリティゲート２０のゲートフラッパ２８の開閉制御について時系列的に説明する。利用者が、正規な利用者ＩＤが登録されたＩＤカードまたは情報通信端末５００をリーダ２５に接触させあるいは近接させながらセキュリティゲート２０（２０Ａ〜２０Ｃ）に進入すると、リーダ２５により、ＩＤカードまたは情報通信端末５００から利用者ＩＤが読み取られ、読み取られた利用者ＩＤと、セキュリティゲート２０のデバイスＩＤとが、ＩＤ情報として、セキュリティゲート２０の制御部２１からセキュリティサーバ１００に送信される。受信したＩＤ情報に含まれる利用者ＩＤが正規なものである場合、セキュリティサーバ１００は、ゲートＯＰＥＮ信号を、当該デバイスＩＤに対応するセキュリティゲート２０の制御部２１に送信する。この場合、制御部２１は、ゲートフラッパ２８を開状態で維持する。これにより、利用者は、セキュリティゲート２０を通過することができる。
【０１２４】
一方、受信したＩＤ情報に含まれる利用者ＩＤが正規なものでない場合、セキュリティサーバ１００は、ゲートＣＬＯＳＥ信号を、当該デバイスＩＤのセキュリティゲート２０の制御部２１に送信する。この場合、制御部２１は、ゲートフラッパ２８を閉状態とする。そのため、利用者ＩＤが正規でないＩＤカードまたは情報通信端末５００を提示した利用者は、セキュリティゲート２０を通過することができない。
【０１２５】
また、ゲートＯＰＥＮ信号をセキュリティサーバ１００から受信していない状態で、第１センサ２６からの信号を受信した場合、当該セキュリティゲート２０の制御部２１は、ゲートフラッパ２８を閉状態に制御する。利用者ＩＤが正規なＩＤカードまたは情報通信端末５００を有していない非正規の利用者がセキュリティサーバ１００を通過しようとしている可能性があり、これを阻止するためである。
【０１２６】
このように、利用者ＩＤが正規なＩＤカードまたは情報通信端末５００を有する利用者はエレベータホール内に進入することができるが、利用者ＩＤが正規なＩＤカードまたは情報通信端末５００を有していない非正規の利用者はエレベータホール内に進入できない。よって、ビル内のセキュリティが確保される。
【０１２７】
２−１−２．号機割当制御
号機の割当制御について時系列的に説明する。
【０１２８】
２−１−２−１．セキュリティゲートまたは行先階登録装置のリーダにＩＤカードまたは情報通信端末が提示されたとき
セキュリティサーバ１００は、セキュリティゲート２０のリーダ２５または行先階登録装置３０のリーダ３６にＩＤカードまたは情報通信端末５００が提示され（かざされ）、利用者ＩＤが正規なものであるとき、情報通信端末５００による認証か否かを判断する。
【０１２９】
情報通信端末５００による認証でなく、ＩＤカードによる認証である場合、セキュリティサーバ１００は、利用者ＤＢから、当該利用者ＩＤに対応する行先階情報を読み込む。そして、セキュリティサーバ１００は、出発階情報と、行先階情報と、セキュリティゲート２０または行先階登録装置３０のデバイスＩＤとを、割当依頼情報として、群管理制御装置１０に送信する。
【０１３０】
一方、情報通信端末５００による認証である場合、セキュリティサーバ１００は、利用者ＤＢから、当該利用者ＩＤに対応する行先階情報と、テナント情報と、端末情報とを読み込む。そして、セキュリティサーバ１００は、出発階情報と、行先階情報と、テナント情報と、セキュリティゲート２０または行先階登録装置３０のデバイスＩＤと、端末情報とを、割当依頼情報として、群管理制御装置１０に送信する。
【０１３１】
群管理制御装置１０は、端末情報を含む割当依頼情報（出発階情報、行先階情報、テナント情報、デバイスＩＤ、端末情報）を受信した場合、受信した割当依頼情報に基づいて割当号機を決定する。そして、群管理制御装置１０は、決定した割当号機を示す割当号機情報を、デバイスＩＤが示すゲート表示器７０または行先階登録装置３０に送信するとともに、クーポン発行依頼情報（割当号機情報、出発階情報、行先階情報、テナント情報、端末情報）をクーポン管理サーバ３００に送信する。
【０１３２】
一方、群管理制御装置１０は、端末情報を含まない割当依頼情報（出発階情報、行先階情報、デバイスＩＤ）を受信した場合、受信した割当依頼情報に基づいて割当号機を決定する。そして、群管理制御装置１０は、決定した割当号機を示す割当号機情報を、デバイスＩＤが示すゲート表示器７０または行先階登録装置３０に送信する。この場合、群管理制御装置１０は、クーポン発行依頼情報のクーポン管理サーバ３００への送信は行わない。
【０１３３】
ゲート表示器７０または行先階登録装置３０は、群管理制御装置１０から割当号機情報または案内情報を受信すると、受信した割当号機情報をそれぞれの表示部７４または３４に表示する。
【０１３４】
２−１−２−２．行先階登録装置の操作部で行先階の入力操作があったとき
利用者により、行先階登録装置３０により行先階が指定された場合の群管理システムによる号機割当制御について時系列的に説明する。
【０１３５】
行先階登録装置３０は、操作部３５に対して、行先階の入力操作があった場合、入力された行先階を示す行先階情報と、出発階情報と、当該行先階登録装置３０のデバイスＩＤとを、割当依頼情報として、群管理制御装置１０に送信する。なお、行先階登録装置３０は、自装置の設置階情報を記憶しており、出発階情報として、記憶している自装置の設置階情報を利用する。
【０１３６】
群管理制御装置１０は、割当依頼情報（出発階情報、行先階情報、デバイスＩＤ）を受信すると、受信した割当依頼情報に含まれる行先階情報及び出発階情報に基づいて割当号機を決定する。そして、群管理制御装置１０は、決定した割当号機を示す割当号機情報を、デバイスＩＤが示す行先階登録装置３０に送信する。
【０１３７】
行先階登録装置３０は、群管理制御装置１０から割当号機情報を受信すると、受信した割当号機情報を表示部３４に表示する。
【０１３８】
２−１−３．クーポン発行動作
クーポン管理サーバ３００は、群管理制御装置１０から、割当号機情報とクーポン発行依頼情報（出発階情報、行先階情報、端末情報、テナント情報）を受信すると、クーポン発行依頼情報に含まれる出発階情報、行先階情報、及びテナント情報と、現在の日時及び曜日とに基づいて、クーポン管理ＤＢからクーポンデータを取得する。そして、クーポン管理サーバ３００は、受信した割当号機情報と、取得したクーポンデータとを、端末情報に対応する情報通信端末５００に通信装置２００を介して送信する。
【０１３９】
２−１−４．クーポン表示動作
情報通信端末５００は、情報受信アプリケーションが実行されている状態において、通信装置２００から割当号機情報及びクーポンデータを受信すると、受信した割当号機情報及びクーポンデータに基づいて表示部５０４に前述の図１９に示すような画面を表示する。
【０１４０】
２−２．具体的動作
２−２−１．セキュリティサーバの具体的動作
群管理システムの具体的動作について説明する。まず、セキュリティサーバ１００の具体的動作について説明する。図２０は、実施形態１におけるセキュリティサーバ１００の動作を示すフローチャートである。
【０１４１】
セキュリティサーバ１００の制御部１０１は、ＩＤ情報（利用者ＩＤ、デバイスＩＤ）を受信したか否かを判断する（Ｓ１１）。
【０１４２】
ＩＤ情報（利用者ＩＤ、デバイスＩＤ）を受信していない場合（Ｓ１１でＮＯ）、セキュリティサーバ１００（制御部１０１）は、本ステップＳ１１の判断を再度実行する。
【０１４３】
ＩＤ情報（利用者ＩＤ、デバイスＩＤ）を受信した場合（Ｓ１１でＹＥＳ）、セキュリティサーバ１００は、受信したＩＤ情報に含まれる利用者ＩＤが正規なものか否かの判断（認証）を行う（Ｓ１２）。例えば、セキュリティサーバ１００の制御部１０１は、記憶部１０２に記憶されている利用者ＤＢを参照して、受信したＩＤ情報に含まれる利用者ＩＤが、利用者ＤＢの利用者ＩＤとして登録されているか等の判断を行う。
【０１４４】
利用者ＩＤが正規であると判断した場合（Ｓ１２でＹＥＳ）、つまり認証が成功した場合、セキュリティサーバ１００の制御部１０１は、情報通信端末５００での認証か否かを判断する（Ｓ１３）。セキュリティサーバ１００の制御部１０１は、情報通信端末５００での認証か否かを、例えば、利用者ＩＤを構成する文字列中に識別媒体が情報通信端末５００であることを示すフラグが含まれているか否かに基づいて判断する。
【０１４５】
情報通信端末５００での認証でない場合（Ｓ１３でＮＯ）、セキュリティサーバ１００の制御部１０１は、記憶部１０２に記憶されている利用者ＤＢを参照して利用者ＩＤに対応する行先階情報を取得する。また、セキュリティサーバ１００の制御部１０１は、受信したＩＤ情報に含まれるデバイスＩＤに対応する出発階情報を、例えば設置階情報テーブルを参照することにより取得する（Ｓ１４）。
【０１４６】
セキュリティサーバ１００の制御部１０１は、取得した出発階情報と、行先階情報と、受信したＩＤ情報に含まれるデバイスＩＤとを、割当依頼情報として、群管理制御装置１０に送信する（Ｓ１５）。
【０１４７】
情報通信端末５００での認証である場合（Ｓ１３でＹＥＳ）、セキュリティサーバ１００の制御部１０１は、記憶部１０２に記憶されている利用者ＤＢを参照して、当該利用者ＩＤに対応する行先階情報と、テナント情報と、端末情報とを取得する。また、セキュリティサーバ１００の制御部１０１は、受信したＩＤ情報に含まれるデバイスＩＤに対応する出発階情報を、例えば設置階情報テーブルを参照することにより取得する（Ｓ１６）。
【０１４８】
セキュリティサーバ１００の制御部１０１は、取得した出発階情報と、行先階情報と、テナント情報と、端末情報と、受信したＩＤ情報に含まれるデバイスＩＤとを、割当依頼情報として、群管理制御装置１０に送信する（Ｓ１７）。
【０１４９】
セキュリティサーバ１００の制御部１０１は、割当依頼情報を送信すると（Ｓ１５またはＳ１７）、ＩＤ情報のデバイスＩＤからＩＤ情報の送信元がセキュリティゲート２０であるか行先階登録装置３０であるかを判断する（Ｓ１８）。
【０１５０】
ＩＤ情報の送信元がセキュリティゲート２０である場合（Ｓ１８でＹＥＳ）、セキュリティサーバ１００の制御部１０１は、セキュリティゲート２０に、ゲートＯＰＥＮ信号を送信して（Ｓ１９）、ステップＳ１１に戻る。セキュリティゲート２０の制御部２１はゲートＯＰＥＮ信号を受信すると、ゲートフラッパ２８を開いた状態に制御し、利用者がセキュリティゲート２０を通過することを可能とする。
【０１５１】
ＩＤ情報の送信元がセキュリティゲート２０でない場合（Ｓ１８でＮＯ）、つまり行先階登録装置３０である場合、セキュリティサーバ１００の制御部１０１は、ステップＳ１１に戻る。
【０１５２】
一方、上記ステップＳ１２で、利用者ＩＤが正規でないと判断した場合（Ｓ１２でＮＯ）、すなわち認証が成立しなかった場合、セキュリティサーバ１００の制御部１０１は、ＩＤ情報のデバイスＩＤからＩＤ情報の送信元がセキュリティゲート２０であるか行先階登録装置３０であるかを判断する（Ｓ２０）。
【０１５３】
ＩＤ情報の送信元がセキュリティゲート２０である場合（Ｓ２０でＹＥＳ）、セキュリティサーバ１００の制御部１０１は、セキュリティゲート２０に、ゲートＣＬＯＳＥ信号を送信して（Ｓ２１）、ステップＳ１１に戻る。セキュリティゲート２０の制御部２１はゲートＣＬＯＳＥ信号を受信すると、ゲートフラッパ２８を閉じた状態に制御し、利用者がセキュリティゲート２０を通過することを規制する。
【０１５４】
ＩＤ情報の送信元がセキュリティゲート２０でない場合（Ｓ２０でＮＯ）、つまり行先階登録装置３０である場合、セキュリティサーバ１００の制御部１０１は、ステップＳ１１に戻る。ここで、本ステップＳ２０でＮＯの場合、セキュリティサーバ１００の制御部１０１は、認証が成立しなかったことを示す情報を行先階登録装置３０に送信し、行先階登録装置３０の表示部３４に“認証ＮＧ”を表示させてもよい。
【０１５５】
２−２−２．行先階登録装置の具体的動作
行先階登録装置３０で行先階の登録操作が行われたときの行先階登録装置３０の動作について説明する。図２１は、実施形態１における行先階登録装置３０の動作を示すフローチャートである。
【０１５６】
行先階登録装置３０の制御部３１は、操作部３５で行先階の登録操作がなされたか否かを判断する（Ｓ３１）。例えば、行先階登録装置３０の制御部３１は、操作部３５で行先階の入力が行われ、入力した行先階を確定する操作が行われたか否かを判断する。
【０１５７】
操作部３５で行先階の登録操作がなされたと判断した場合（Ｓ３１でＹＥＳ）、行先階登録装置３０の制御部３１は、入力された行先階情報と、出発階情報と、当該行先階登録装置３０のデバイスＩＤとを、割当依頼情報として、群管理制御装置１０に送信する（Ｓ３２）。出発階情報としては、記憶部３２に格納されている自己の行先階登録装置３０の設置階を示す情報が用いられる。
【０１５８】
行先階登録装置３０の制御部３１は、割当依頼情報に対する応答として、群管理制御装置１０から割当号機情報を受信したか否かを判断する（Ｓ３３）。
【０１５９】
割当号機情報を受信していないと判断した場合（Ｓ３３でＮＯ）、行先階登録装置３０の制御部３１は、当該ステップＳ３３の判断を再度実行し、割当号機情報を受信したと判断した場合（Ｓ３３でＹＥＳ）、割当号機を示す情報を表示部３４に表示させる（Ｓ３４）。
【０１６０】
上記のステップＳ３１において、操作部３５で行先階の登録操作がなされていないと判断した場合（Ｓ３１でＮＯ）、行先階登録装置３０の制御部３１は、リーダ３６に情報通信端末５００がかざされた（提示された）か否か（情報通信端末５００を利用して行先階の登録操作が行われたか否か）を判断する（Ｓ３５）。例えば、行先階登録装置３０の制御部３１は、リーダ３６から利用者ＩＤを受信したか否かを判断し、利用者ＩＤを受信したときは、リーダ３６で行先階の登録操作がなされたと判断する。
【０１６１】
リーダ３６に情報通信端末５００がかざされていないと判断した場合（Ｓ３５でＮＯ）、行先階登録装置３０の制御部３１は、ステップＳ３１に戻る。
【０１６２】
リーダ３６に情報通信端末５００がかざされたと判断した場合（Ｓ３５でＹＥＳ）、行先階登録装置３０の制御部３１は、利用者ＩＤと、当該行先階登録装置３０のデバイスＩＤとを、ＩＤ情報として、セキュリティサーバ１００に送信（Ｓ３６）し、前述のステップＳ３３の判断を実行する。
【０１６３】
２−２−３．群管理制御装置の具体的動作
群管理制御装置１０による割当号機の決定処理について説明する。図２２は、実施形態１における群管理制御装置１０の動作を示すフローチャートである。
【０１６４】
群管理制御装置１０の制御部１１は、セキュリティサーバ１００または行先階登録装置３０から割当依頼情報を受信したか否かを判断する（Ｓ４１）。
【０１６５】
受信していない場合（Ｓ４１でＮＯ）、群管理制御装置１０の制御部１１は、ステップＳ４１の処理を再度実行する。
【０１６６】
受信した場合（Ｓ４１でＹＥＳ）、群管理制御装置１０の制御部１１は、割当号機を決定する（Ｓ４２）。
【０１６７】
割当号機の決定は例えば以下のように行われる。群管理制御装置１０の制御部１１は、まず、各エレベータの運行情報に基づいて、行先階呼びに係る行先階を割り当てるべきエレベータ（割当号機）を選択するための評価値を、エレベータ（号機）毎に算出する。ここで、各エレベータの運行情報は、例えば、各エレベータのかご状態（かごの位置、走行方向、ドアの開閉状態、荷重等を含む）、予測される待ち時間（行先階呼びが発生してから割当号機が出発階に到着するまでの時間）、予測されるサービス完了時間（行先階呼びが発生してから割当号機が行先階に到着するまでの時間）、かごの予定される停止回数（サービス完了までの間に予定されるエレベータの停止回数）などを示す情報を含む。上記評価値の算出後、群管理制御装置１０は、エレベータ６０Ａ〜６０Ｆのうちから例えば最も小さい評価値を有するエレベータを選択し、行先階を、選択したエレベータに割り当てる。なお、群管理制御装置１０は、この方法以外に、一般的に知られている他の方法を用いて行先階をいずれかのエレベータに割り当ててもよい。
【０１６８】
割当号機を決定すると、群管理制御装置１０の制御部１１は、決定した割当号機を示す割当号機情報を、受信したデバイスＩＤに対応するセキュリティゲート２０のゲート表示器７０または行先階登録装置３０に送信して、ゲート表示器７０または行先階登録装置３０の表示部３４に表示させる（Ｓ４３）。
【０１６９】
群管理制御装置１０の制御部１１は、受信した割当依頼情報に端末情報が含まれているか否かを判断する（Ｓ４４）。
【０１７０】
割当依頼情報に端末情報が含まれている場合（Ｓ４４でＹＥＳ）、群管理制御装置１０の制御部１１は、決定した割当号機を示す割当号機情報と、クーポン発行依頼情報をクーポン管理サーバ３００に送信し（Ｓ４５）、ステップＳ４１の処理に戻る。
【０１７１】
割当依頼情報に端末情報が含まれていない場合（Ｓ４４でＮＯ）、群管理制御装置１０の制御部１１は、ステップＳ４１の処理に戻る。
【０１７２】
２−２−４．クーポン管理サーバの具体的動作
クーポン管理サーバ３００の制御部３０１は、群管理制御装置１０から割当号機情報及びクーポン発行依頼情報（出発階情報、行先階情報、端末情報、テナント情報）を受信したか否かを判断する（Ｓ５１）。
【０１７３】
群管理制御装置１０から割当号機情報及びクーポン発行依頼情報を受信していない場合（Ｓ５１でＮＯ）、クーポン管理サーバ３００の制御部３０１は、ステップＳ５１の判断を再度実行する。
【０１７４】
群管理制御装置１０から割当号機情報及びクーポン発行依頼情報を受信した場合（Ｓ５１でＹＥＳ）、クーポン管理サーバ３００の制御部３０１は、読み込み対象のレコードの番号ｉとして１を設定する（Ｓ５２）。
【０１７５】
クーポン管理サーバ３００の制御部３０１は、番号ｉのレコードを読み込む（Ｓ５３）。
【０１７６】
クーポン管理サーバ３００の制御部３０１は、ステップＳ５４〜Ｓ６１において、クーポン発行依頼情報に含まれる各種の情報に基づいて、番号ｉのレコードに係るクーポンデータが、情報通信端末５００に送信すべきクーポンデータであるか否かを判断する。
【０１７７】
具体的に、ステップＳ５４では、クーポン管理サーバ３００の制御部３０１は、クーポン発行依頼情報に含まれる送信対象テナント情報の示すテナントが、番号ｉのレコードの送信対象テナントに含まれているか否かを判断する。なお、クーポン管理ＤＢにおいて送信対象テナント情報として「―」が登録されていることは、全てのテナントを送信対象テナントとすることを意味しており、この場合、本ステップ５４では送信対象テナント情報の示すテナントが送信対象テナントに含まれているとの判断がなされる。
【０１７８】
ステップＳ５５では、クーポン管理サーバ３００の制御部３０１は、今日の日付が、番号ｉのレコードの送信開始日以後の日付であるか否かを判断する。なお、クーポン管理ＤＢにおいて送信開始日として「―」が登録されていることは、送信開始日の指定はなく、全ての日付を送信対象日とすることを意味しており、「―」である場合、本ステップ５５では今日の日付が送信終了日以後の日付であるとの判断がなされる。
【０１７９】
ステップＳ５６では、クーポン管理サーバ３００の制御部３０１は、今日の日付が、番号ｉのレコードの送信終了日以前の日付であるか否かを判断する。なお、クーポン管理ＤＢにおいて送信終了日として「―」が登録されていることは、送信終了日の指定はなく、全ての日付を送信対象日とすることを意味しており、「―」である場合、本ステップ５６では今日の日付が送信終了日以前の日付であるとの判断がなされる。
【０１８０】
ステップＳ５７では、クーポン管理サーバ３００の制御部３０１は、今日の曜日が、番号ｉのレコードの送信曜日に該当するか否かを判断する。なお、クーポン管理ＤＢにおいて送信曜日として「―」が登録されていることは、全ての曜日を送信曜日とすることを意味しており、「―」である場合、本ステップ５７では今日の曜日が送信曜日に該当するとの判断がなされる。
【０１８１】
ステップＳ５８では、クーポン管理サーバ３００の制御部３０１は、現在時刻が、番号ｉのレコードの送信開始時刻以後であるか否かを判断する。なお、クーポン管理ＤＢにおいて送信開始時刻として「―」が登録されていることは、送信開始時刻について特に指定はなく、０時から送信開始することを意味しており、「―」である場合、本ステップＳ５８では現在時刻が送信開始時刻以後であるとの判断がなされる。
【０１８２】
ステップＳ５９では、クーポン管理サーバ３００の制御部３０１は、現在時刻が、番号ｉのレコードの送信終了時刻以前であるか否かを判断する。なお、クーポン管理ＤＢにおいて送信終了時刻として「―」が登録されていることは、送信開始時刻について特に指定はなく、２４時に送信終了することを意味しており、「―」である場合、本ステップＳ５９では現在時刻が送信終了時刻以前であるとの判断がなされる。
【０１８３】
ステップＳ６０では、クーポン管理サーバ３００の制御部３０１は、クーポン発行依頼情報に含まれる出発階情報が示す出発階が、番号ｉのレコードの対象出発階と同じか否かを判断する。なお、クーポン管理ＤＢの出発階情報として「―」が登録されていることは、全ての出発階を送信対象とすることを意味しており、「―」である場合、本ステップＳ６０では、クーポン発行依頼情報に含まれる出発階情報が示す出発階が対象出発階と同じであるとの判断がなされる。
【０１８４】
ステップＳ６１では、クーポン管理サーバ３００の制御部３０１は、クーポン発行依頼情報に含まれる行先階情報が示す行先階が、番号ｉのレコードの対象行先階と同じか否かを判断する。なお、クーポン管理ＤＢの行先階情報として「―」が登録されていることは、全ての行先階を送信対象とすることを意味しており、「―」である場合、本ステップＳ６１では、クーポン発行依頼情報に含まれる行先階情報が示す行先階が対象行先階と同じであるとの判断がなされる。
【０１８５】
そして、ステップＳ５４〜Ｓ６１の条件が全て満たされた場合（全てＹＥＳの場合）、クーポン管理サーバ３００の制御部３０１は、番号ｉのレコードに係るクーポンデータが、クーポン発行依頼情報に含まれる端末情報が示す情報通信端末５００に送信すべきクーポンデータであると判断し、番号ｉのレコードに含まれるクーポンデータを、送信すべきクーポンデータとして記憶部３０２に記憶する（Ｓ６２）。
【０１８６】
クーポン管理サーバ３００の制御部３０１は、クーポン管理ＤＢに含まれる全てのレコードに対するステップＳ５３〜Ｓ６２の処理が終了したか否かを判断する（Ｓ６３）。
【０１８７】
処理が終了していない場合（Ｓ６３でＮＯ）、クーポン管理サーバ３００の制御部３０１は、番号ｉに１を加算し（Ｓ６４）、ステップＳ５３以後の処理を再度実行する。
【０１８８】
処理が終了した場合（Ｓ６３でＹＥＳ）、クーポン管理サーバ３００の制御部３０１は、送信すべきクーポンデータとして記憶部３０２に記憶されているクーポンデータと、群管理制御装置１０から受信した割当号機情報とを、端末情報が示す情報通信端末５００に送信する（Ｓ６５）。
【０１８９】
なお、ステップＳ５４〜Ｓ６１の判断の順番は適宜入れ替えてもよい。
【０１９０】
２．本実施形態の作用
本実施形態によると、エレベータの利用者がセキュリティゲート２０を通過する際に情報通信端末５００をリーダ２５にかざし、あるいは行先階登録装置３０のリーダ３６に情報通信端末５００をかざすと、利用者の行先階及び出発階に基づいて、利用者が乗車すべきエレベータが割り当てられる。また、利用者の行先階、出発階、利用者の属するテナント等に応じたクーポンデータが選択される。そして、割り当てられたエレベータを示す割当号機情報とともに、選択されたクーポンデータが利用者の情報通信端末５００に送信され、情報通信端末５００の表示部５０４に図１９に示すような情報が表示される。これにより、利用者は、自己が乗車すべきエレベータを示す割当号機情報とともに、店舗のクーポンを得ることができる。その場合において、クーポンは、利用者の行先階、出発階、利用者の属するテナント等に応じて選択されているので、エレベータの利用者にとって有用である可能性が高い。また、クーポンの送信が、エレベータの利用時、例えば昼食時や出勤時や帰宅時等にタイムリーに行われることとなる。そのため、エレベータの利用者にとって、タイムリーにクーポンを取得することができるとともに、クーポン提供者にとっても、やみくもにクーポンを発行する場合よりも、高い販売促進効果が得られる。このように、本実施形態のエレベータの群管理システムは、ビルのオフィス階等に入居するテナントと店舗階に入居する店舗等の商業施設との両方に対して当該ビルに入居することによるメリットを提供することができる。
【０１９１】
（実施形態についてのまとめ）
（１）実施形態１のクーポン管理サーバ３００（情報提供装置）は、複数台のエレベータ６０の中から、行先階の登録操作を行った利用者に割り当てられたエレベータを示す割当号機情報を、当該利用者の所持する情報通信端末５００に送信する。
クーポン管理サーバ３００（情報提供装置）は、
利用者に提供する複数のクーポンデータ（提供情報）を記憶する記憶部３０２と、
制御部３０１と、を備える。
制御部３０１には、
割当号機情報と、
利用者の出発階を示す出発階情報と行先階を示す行先階情報とのうちの少なくとも一方を含む階床情報と、が入力される。
制御部３０１は、
入力された階床情報に基づいて記憶部３０２から少なくとも１つのクーポンデータ（提供情報）を読み出し、
入力された割当号機情報と読み出したクーポンデータ（提供情報）とを情報通信端末５００に送信する。
【０１９２】
本実施形態によれば、エレベータ６０の利用時に、利用者の所持する情報通信端末５００に、割当号機情報と、当該利用者の行先階や出発階に応じたクーポンデータ（提供情報）を送信することができる。
【０１９３】
（２）実施形態１のクーポン管理サーバ３００（情報提供装置）において、
制御部３０１には、さらに、行先階の登録操作を行った利用者の属するテナントを示すテナント情報が入力される。
制御部３０１は、
入力された階床情報とテナント情報とに基づいて、記憶部３０２から少なくとも１つのクーポンデータ（提供情報）を読み出し、
入力された割当号機情報と読み出したクーポンデータ（提供情報）とを情報通信端末５００に送信する。
【０１９４】
これにより、エレベータ６０の利用時に、利用者の所持する情報通信端末５００に、割当号機情報と、当該利用者の行先階や出発階及び属するテナントに応じたクーポンデータ（提供情報）を送信することができる。
（３）実施形態１のクーポン管理サーバ３００（情報提供装置）において、
記憶部３０２は、さらに、各クーポンデータ（提供情報）を、送信すべき日付と、時刻と、曜日とのうちの少なくとも１つを含む日時に関する情報に対応付けて記憶している。
制御部３０１は、
入力された階床情報と日時に関する情報とに基づいて、記憶部３０２から少なくとも１つのクーポンデータ（提供情報）を読み出し、
入力された割当号機情報と読み出したクーポンデータ（提供情報）とを情報通信端末５００に送信する。
【０１９５】
これにより、エレベータ６０の利用時に、利用者の所持する情報通信端末５００に、割当号機情報と、当該利用者の行先階や出発階及び属するテナント、並びに日時に応じたクーポンデータ（提供情報）を送信することができる。
【０１９６】
（４）実施形態１のクーポン管理サーバ３００（情報提供装置）において、
提供情報は、クーポンデータである。
【０１９７】
これにより、提供情報として、利用者に取って有用であるクーポンデータを利用者に送信することができる。
【０１９８】
（５）実施形態１のエレベータの群管理システムは、
クーポン管理サーバ３００（情報提供装置）と、
複数台のエレベータ６０の運行を制御するエレベータの群管理制御装置１０と、を備える。
群管理制御装置１０は、利用者の行先階を示す行先階情報と出発階を示す出発階情報とを入力し、入力した行先階情報及び出発階情報に基づいて、複数台のエレベータ６０のうちのいずれかのエレベータに利用者を割り当てて、割り当てたエレベータを示す情報をクーポン管理サーバ３００（情報提供装置）に出力する。
【０１９９】
これにより、クーポン管理サーバ３００（情報提供装置）と、エレベータの群管理制御装置１０とを有するエレベータの群管理システムにおいて上述の作用及び効果が得られる。
【０２００】
（６−１）実施形態１のエレベータの群管理システムは、
利用者の行先階を示す行先階情報をエレベータ乗場またはその近傍で取得し、群管理制御装置１０に出力する行先階登録装置３０及びセキュリティサーバ１００（行先階情報取得装置）をさらに備える。
【０２０１】
これにより、クーポン管理サーバ３００（情報提供装置）と、エレベータの群管理制御装置１０と、行先階登録装置３０及びセキュリティサーバ１００（行先階情報取得装置）とを有する群管理システムにおいて上述の作用及び効果が得られる。
【０２０２】
（６−２）実施形態１のエレベータの群管理システムは、
利用者の行先階を示す行先階情報をエレベータ乗場またはその近傍で取得し、群管理制御装置１０に出力するセキュリティゲート２０及びセキュリティサーバ１００（行先階情報取得装置）をさらに備える。
【０２０３】
これにより、クーポン管理サーバ３００（情報提供装置）と、エレベータの群管理制御装置１０と、セキュリティゲート２０及びセキュリティサーバ１００（行先階情報取得装置）とを有する群管理システムにおいて上述の作用及び効果が得られる。
【０２０４】
（７−１）実施形態１のエレベータの群管理システムにおいて、
行先階登録装置３０及びセキュリティサーバ１００（行先階情報取得装置）は、
利用者ＩＤ（利用者情報）に対応付けて行先階情報を記憶する記憶部１０２（行先階記憶部）と、
利用者の所持する情報通信端末５００のＮＦＣタグ５０８（識別媒体）から利用者ＩＤ（利用者情報）を取得するリーダ３６（情報取得部）と、
制御部１０１（取得制御部）と、を備える。
制御部１０１（取得制御部）は、
リーダ３６（情報取得部）で取得された利用者ＩＤ（利用者情報）に対応する行先階情報を記憶部１０２（行先階記憶部）から読み出し、
読み出した行先階情報を群管理制御装置１０に出力する。
【０２０５】
これにより、利用者の所持する情報通信端末５００を利用して行先階を登録可能なエレベータの群管理システムにおいて、上述の効果が得られる。
【０２０６】
（７−２）実施形態１のエレベータの群管理システムにおいて、
セキュリティゲート２０及びセキュリティサーバ１００（行先階情報取得装置）は、
利用者ＩＤ（利用者情報）に対応付けて行先階情報を記憶する記憶部１０２（行先階記憶部）と、
利用者の所持する情報通信端末５００のＮＦＣタグ５０８（識別媒体）から利用者ＩＤ（利用者情報）を取得するリーダ２５（情報取得部）と、
制御部１０１（取得制御部）と、を備える。
制御部１０１（取得制御部）は、
リーダ２５（情報取得部）で取得された利用者ＩＤ（利用者情報）に対応する行先階情報を記憶部１０２（行先階記憶部）から読み出し、
読み出した行先階情報を群管理制御装置１０に出力する。
【０２０７】
これにより、利用者の所持する情報通信端末５００を利用して行先階を登録可能なエレベータの群管理システムにおいて、上述の効果が得られる。
【０２０８】
（８）実施形態１のエレベータシステムは、
複数台のエレベータ６０と、
エレベータの群管理システムと、を備える。
【０２０９】
これにより、複数台のエレベータ６０と、エレベータの群管理システムとを備えるエレベータシステムにおいて上述の作用及び効果が得られる。
【０２１０】
（その他の実施形態）
前記実施形態では、クーポン管理サーバ３００は、利用者に送信すべきクーポンデータの選択を、図２３に示すフローチャートに基づいて行う。しかし、このフローチャートに基づくクーポンデータの選択処理は一例であり、一般的なデータベースアプリケーション等を利用して行ってもよい。
【０２１１】
前記実施形態では、クーポン管理ＤＢにおいてクーポン送信条件として、送信対象テナント情報の項目を設けた。しかし、送信対象は個人単位としてもよい。例えば、個人の属性、例えば性別、年齢等の項目をクーポン管理ＤＢにおけるクーポン送信条件として設定可能とし、利用者の行先階及び／または出発階、個人の属性等に応じてクーポンデータを送信可能としてもよい。
【０２１２】
前記実施形態では、クーポン登録装置４００におけるクーポン送信条件及びクーポンデータの登録は、クーポン登録装置４００を利用してクーポン登録用Ｗｅｂサイト（ページ）にアクセスすることにより行われる。しかし、クーポン送信条件及びクーポンデータの登録は、クーポン登録装置４００に、クーポン送信条件及びクーポンデータの登録用の専用のアプリケーション（プログラム）をインストールしておき、当該アプリケーションを利用して行うようにしてもよい。
【０２１３】
前記実施形態では、企業のオフィスや店舗が入居する複合ビルを例として説明した。しかし、本発明は、住居と店舗とを有する複合ビルにも適用可能である。この場合、例えば、住居の住人をテナントとして設定することが考えられる。
【０２１４】
前記実施形態では、提供情報は、ビルに入居している店舗のクーポンデータである。しかし、本発明において、提供情報は、これに限定されない。提供情報は、例えば、ビルのオフィス階に入居している企業に関する情報であってもよい。この場合、クーポン登録装置４００（情報提供装置）は、オフィス階に設置され、例えば、オフィス階の企業等の社員の出勤時等に、提供情報として、当該企業に関する情報を送信する。
【０２１５】
また、提供情報は、ビルに入居していない店舗や企業等に関する情報であってもよい。本発明は、エレベータの利用者の行先階や出発階等に基づいて、利用者に応じた提供情報を送信するものであり、提供情報の提供者がビルに入居していることは必須ではない。
【０２１６】
前記実施形態では、セキュリティゲート２０のリーダ２５または行先階登録装置３０のリーダ３６に対してＩＤカードまたは情報通信端末５００がかざされた場合、ゲート表示器７０の表示部７４または行先階登録装置３０の表示部３４に、図５や図１０に示すように、割当号機が表示される。しかし、セキュリティゲート２０のリーダ２５または行先階登録装置３０のリーダ３６に対して情報通信端末５００がかざされた場合には、割当号機を表示せず、図２４に示すように、「割当号機は、スマートフォンでご確認ください」というような案内情報をゲート表示器７０の表示部７４または行先階登録装置３０の表示部３４に表示させてもよい。この場合、情報通信端末５００で行先階登録を行った利用者は必ず情報通信端末５００の表示部５０４で割当号機を確認することとなるため、確認の際にクーポンデータも目に入ることとなる。よって、商業店舗にとってより高い販売促進効果が得られる。
【０２１７】
前記実施形態では、ロビー階（特定階）には、リーダ２５を有するセキュリティゲート２０と、リーダ３６を有する行先階登録装置３０との両方が設けられている。しかし、本発明では、リーダ２５を有するセキュリティゲート２０と、リーダ３６を有する行先階登録装置３０とのいずれか一方が設けられているだけでもよい。
【０２１８】
前記実施形態では、情報通信端末５００は、例えばＷ−ＣＤＭＡ、ＧＳＭ等の携帯通信用の諸規格に基づく無線通信を実行する第１無線通信部５０６を有する。しかし、本発明において情報通信端末はＷ−ＣＤＭＡ、ＧＳＭ等の携帯通信用の諸規格に基づく無線通信を実行するための無線通信部を有していることは必須ではない。
【０２１９】
前記実施形態では、割当号機情報及びクーポンデータを、Ｗｉ−Ｆｉ規格にしたがった無線ＬＡＮにより送信する。しかし、割当号機情報及びクーポンデータの送信方法はこれに限定されない。例えば、割当号機情報を記載し、クーポンデータを添付した電子メール、あるいは割当号機情報及びクーポンデータをＨＴＭＬ形式で表示する電子メールをクーポン管理サーバ３００で生成して送信してもよい。この場合、情報通信端末５００に上記情報受信アプリケーションを導入しておく必要はなく、一般的なメーラが導入されていればよい。また、この場合、利用者ＤＢの端末情報としてメールアドレスを登録しておき、情報通信端末５００がセキュリティゲート２０のリーダ２５または行先階登録装置３０のリーダ３６にかざされたときに、セキュリティサーバ１００から当該メールアドレスを群管理制御装置１０に送信し、さらに群管理制御装置１０から割当号機情報及びクーポンデータとともにメールアドレスをクーポン管理サーバ３００に送信するようにしてもよい。この場合のクーポンデータの形式は、前述したように、クーポンの画像の画像データ（バイナリデータ）、クーポンの所在地のＵＲＬを記載したＨＴＭＬデータ等どのような形式のデータでもよい。
【０２２０】
前記実施形態では、セキュリティゲート２０のリーダ２５または行先階登録装置３０のリーダ３６に対して情報通信端末５００がかざされた場合にのみ、情報通信端末５００に割当号機情報及びクーポンデータが送信される。しかし、本発明はこれに限定されない。例えば、利用者ＤＢに端末情報が登録されている利用者については、情報通信端末５００でなくビル入館認証用のＩＤカードがセキュリティゲート２０のリーダ２５または行先階登録装置３０のリーダ３６に対してかざされた場合にも、情報通信端末５００に割当号機情報及びクーポンデータを送信するようにしてもよい。この場合、情報通信端末５００の情報受信アプリケーションは常時動作するように構成しておくことが好ましい。または、割当号機情報及びクーポンデータを電子メールで情報通信端末５００に送信する。この場合、利用者ＤＢに端末情報としてさらにメールアドレスを登録しておく。
【０２２１】
前記実施形態では、制御部１１、２１、３１、４１、７１、１０１、３０１、５０１は、ＣＰＵ、ＭＰＵ等を利用して構成され、記憶部１２、２２、３２、４２、７２、１０２、３０２、５０２から読み出したプログラムに基づいて種々のデータ等を利用して演算処理を行うことにより、各種の機能を実現している。つまり、各制御部１１、２１、３１、４１、７１、１０１、３０１、５０１は、ハードウェアとソフトウェアとの協働により実現されている。しかし、各制御部１１、２１、３１、４１、７１、１０１、３０１、５０１は、例えば、ハードウェア（電子回路）のみ、ＦＰＧＡ、ＡＳＩＣ等を利用して構成してもよい。
【０２２２】
前記実施形態では、ネットワークＮＷはＥｔｈｅｒｎｅｔ（登録商標）であり、入出力インタフェース１３、２３、３３、４３、７３、１０３、３０３はＬＡＮアダプタ等を利用して構成されている。しかし、ネットワークＮＷは、例えばＩＥＥＥ規格に準拠した無線ＬＡＮであり、入出力インタフェース１３、２３、３３、４３、７３、１０３、３０３は無線ＬＡＮアダプタ等を利用して構成されてもよい。
【符号の説明】
【０２２３】
１０  群管理制御装置
１１  制御部
１２  記憶部
１３  入出力インタフェース
２０、２０Ａ、２０Ｂ、２０Ｃ  セキュリティゲート
２０ａ  ゲート本体
２０ｉ  入口
２０ｅ  出口
２１  制御部
２２  記憶部
２３  入出力インタフェース
２５  リーダ
２６  第１センサ
２７  第２センサ
２８  ゲートフラッパ
３０、３０Ａ〜３０Ｚ  行先階登録装置
３１  制御部
３２  記憶部
３３  入出力インタフェース
３４  表示部
３５  操作部
３６  リーダ
４０、４０Ａ〜４０Ｆ  エレベータ制御装置
４１  制御部
４２  記憶部
４３  入出力インタフェース
６０、６０Ａ〜６０Ｆ  エレベータ
７０  ゲート表示器
７１  制御部
７２  記憶部
７３  入出力インタフェース
７４  表示部
１００  セキュリティサーバ
１０１  制御部
１０２  記憶部
１０３  入出力インタフェース
２００  通信装置
３００  クーポン管理サーバ
３０１  制御部
３０２  記憶部
３０３  入出力インタフェース
４００、４００−１〜４００−ｍ  クーポン登録装置
５００、５００−１〜５００−ｎ  情報通信端末
５０１  制御部
５０２  記憶部
５０４  表示部
５０５  操作部
５０６  第１無線通信部
５０７  第２無線通信部
５０８  ＮＦＣタグ
【図１Ａ】
2017150395.tif 000003
【図１Ｂ】
2017150395.tif 000004
【図２】
2017150395.tif 000005
【図３】
2017150395.tif 000006
【図４】
2017150395.tif 000007
【図５】
2017150395.tif 000008
【図６】
2017150395.tif 000009
【図７】
2017150395.tif 000010
【図８】
2017150395.tif 000011
【図９】
2017150395.tif 000012
【図１０】
2017150395.tif 000013
【図１１】
2017150395.tif 000014
【図１２】
2017150395.tif 000015
【図１３】
2017150395.tif 000016
【図１４】
2017150395.tif 000017
【図１５】
2017150395.tif 000018
【図１６】
2017150395.tif 000019
【図１７】
2017150395.tif 000020
【図１８】
2017150395.tif 000021
【図１９】
2017150395.tif 000022
【図２０】
2017150395.tif 000023
【図２１】
2017150395.tif 000024
【図２２】
2017150395.tif 000025
【図２３】
2017150395.tif 000026
【図２４】
2017150395.tif 000027
【手続補正書】
【提出日】平成30年1月19日(2018.1.19)
【手続補正１】
【補正対象書類名】特許請求の範囲
【補正対象項目名】全文
【補正方法】変更
【補正の内容】
【特許請求の範囲】
【請求項１】
エレベータの利用者が号機に乗車する前に当該利用者の所持する情報通信端末で行先階の登録操作を行うことで、複数台のエレベータの中から当該利用者に割り当てられたエレベータを示す割当号機情報を、当該利用者の所持する情報通信端末に送信する情報提供装置であって、
前記利用者の情報通信端末を用いて店舗で使用可能なクーポンのクーポンデータと、前記クーポンデータの送信条件とを記憶する記憶部と、
制御部と、を備え、
前記制御部には、
前記割当号機情報と、
前記利用者の出発階を示す出発階情報と行先階を示す行先階情報とのうちの少なくとも一方を含む階床情報と、が入力され、
前記制御部は、
入力された前記階床情報と前記送信条件に基づいて前記記憶部から少なくとも１つのクーポンデータを読み出し、
前記利用者の情報通信端末の表示部に、前記利用者に割り当てられたエレベータの割当号機名とクーポンを同時に表示させるために、入力された前記割当号機情報と読み出した前記クーポンデータとを前記利用者の情報通信端末に送信する、
情報提供装置。
【請求項２】
前記制御部には、さらに、行先階の登録操作を行った利用者の属するテナントを示すテナント情報が入力され、
前記制御部は、
入力された前記階床情報と前記テナント情報とに基づいて、前記記憶部から少なくとも１つのクーポンデータを読み出し、
入力された前記割当号機情報と読み出したクーポンデータとを前記情報通信端末に送信する、
請求項１に記載の情報提供装置。
【請求項３】
前記記憶部は、さらに、クーポンデータを、送信すべき日付と、時刻と、曜日とのうちの少なくとも１つを含む日時に関する情報に対応付けて記憶しており、
前記制御部は、
入力された階床情報と前記日時に関する情報とに基づいて、前記記憶部から少なくとも１つのクーポンデータを読み出し、
入力された前記割当号機情報と読み出したクーポンデータとを前記情報通信端末に送信する、
請求項１に記載の情報提供装置。
【請求項４】
請求項１から請求項３のいずれか１項に記載の情報提供装置と、
複数台のエレベータの運行を制御するエレベータの群管理制御装置と、を備え、
前記群管理制御装置は、利用者の行先階を示す行先階情報と出発階を示す出発階情報とを入力し、入力した行先階情報及び出発階情報に基づいて、複数台のエレベータのうちのいずれかのエレベータに前記利用者を割り当てて、割り当てたエレベータを示す情報を前記情報提供装置に出力する、
エレベータの群管理システム。
【請求項５】
前記利用者の行先階を示す行先階情報をエレベータ乗場またはその近傍で取得し、前記群管理制御装置に出力する行先階情報取得装置をさらに備える、
請求項４に記載のエレベータの群管理システム。
【請求項６】
前記行先階情報取得装置は、
利用者情報に対応付けて行先階情報を記憶する行先階記憶部と、
利用者の所持する情報通信端末の識別媒体から利用者情報を取得する情報取得部と、
取得制御部と、を備え、
前記取得制御部は、
前記情報取得部で取得された利用者情報に対応する行先階情報を前記行先階記憶部から読み出し、
読み出した行先階情報を前記群管理制御装置に出力する、
請求項５に記載のエレベータの群管理システム。
【請求項７】
複数台のエレベータと、
請求項４から請求項６のいずれか１項に記載のエレベータの群管理システムと、を備える、
エレベータシステム。
【国際調査報告】
2017150395.tif 000028
2017150395.tif 000029
2017150395.tif 000030
2017150395.tif 000031